(57)【要約】【課題】簡単な組物ゲージを使用することで釘角度の計測・調整が簡単正確に行える遊技機角度測定ゲージの提供。【解決手段】パチンコ盤面の湾曲状レール４の内側に懸架した直状フレーム６とゲージ１との組物ゲージからなり、フレームが矩形状平板であり、且つゲージが長方形の基板と支持脚から構成され、支持脚が（イ）その下方部に角度測定冶具を着脱自在に設けたもの、（ロ）一端に連設した回動自在な分度盤と、他端の指針と下方部に設けた角度測定冶具ものであるパチンコ釘角度測定ゲージ。【選択図】図１
2008221012.tif 000002
【特許請求の範囲】
【請求項１】
釘、役物、湾曲状レール等が植設されたパチンコ盤面において、該湾曲状レールの内側に当接可能な直状フレームとゲージとからなる組物ゲージであって、
（ｉ）該フレームが該レールに当接可能で且つゲージを構成する支持脚の高さに相当する一辺の長さを持つ矩形状平板から構成され、
（ｉｉ）該ゲージが、長方形の基板と該基板の片側端部に突設した支持脚から構成され、角度測定時に支持脚がパチンコ盤面上の釘に添って直立し、しかも該支持脚が、（イ）支持脚の下方部に角度測定冶具を一体に又は着脱自在に設けた支持脚、或いは（ロ）該基板と同一平面上に連設した円周に沿って度数目盛を表示した分度盤と、該分度盤の度数上の中心位置に設けた蝶ネジを支点として回動自在に動き、一方の先端が分度盤の度数目盛を示す指針となり他端の下方部に角度測定冶具を一体に又は着脱自在に設けた支持脚のいずれかであることにより、釘調整を行えることを特徴とするパチンコ釘角度測定ゲージ。
【発明の詳細な説明】
【技術分野】
【０００１】
本発明は、パチンコ機のような遊技機の盤面上に打ち込まれた多数本の釘角度を測定し、盤面上の釘位置によって釘を上向き、下向き等所定の角度に調整し、設定するための遊技機釘角度測定ゲージに関するものである。
特に、本発明は、基本的に、パチンコ盤面のレールに架けたフレームとゲージとの組物測定ゲージに関するものである。
【背景技術】
【０００２】
大衆の遊戯娯楽機としては種々のものが提供されているが、最も大衆に親しまれ、長年楽しまれている遊技機としてパチンコがあり、駅の周辺や商店街等において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである。
【０００３】
パチンコ盤面の釘の角度測定や調整は、ハンマーやペンチ等を使用し経験に基ずく目測で行っているが、この作業は非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が提供されている。
【０００４】
例えば、本出願人に係る特許文献１〜４には、本発明の基礎となる技術が示されている。
即ち、特許文献１には、馬蹄形型ゲージの支持脚の脚部の一辺に釘を沿わせて角度測定・調整を行うことが示されている。
特許文献２には、馬蹄形ゲージの応用であって、支持脚の脚部自体が角度測定面自体を構成させ、一方の支持脚をスライド体と一体に形成して役物等の障害物を避けるスライド式ゲージが示されている。
【０００５】
特許文献３には、馬蹄形型ゲージの支持脚の脚部に角度測定冶具を着脱自在に設けて釘をその冶具に沿わせて角度測定・調整を行う冶具着脱式ゲージが示されており、また、一方の支持脚をスライド体と一体に形成して、役物等の障害物を避けるスライド式ゲージが示されている。
特許文献４には、馬蹄形型ゲージを基本とし、その支持脚に角度測定冶具を一体に設けて釘をその冶具に沿わせて角度測定・調整を行うＨ型ゲージが示されている。
更に、パチンコ盤面上のフレームに縦レール、横レールを組立てた枠体補助具を用い、それら枠体にＴ字状ゲージを沿わせてパチンコ盤面上の釘角度を測定・調整する組物ゲージが示されている。
【０００６】
【特許文献１】登録実用新案第３０４２６６３号
【特許文献２】特開２００１−２６９４５０号公報
【特許文献３】特開２００２−２２４３２０号公報
【特許文献４】特開２００２−２７２９３０号公報
【発明の開示】
【発明が解決しようとする課題】
【０００７】
また、パチンコ業界では、新台入替時等においては、一回に何十台、何百台と入替えする。しかも、一晩で行うわけです。
これを一台に約２００本の釘があるとして、３０台で６０００本、１００台では２０，０００本もの釘を測定・調整しなくてはならず、その労力は大変なものである。
ですから、如何に簡単に手早く、正確に調整できるツールが求められるわけです。
本発明は、これらの全てゲージの課題を解決したものである。
本発明は、従来のＨ型ゲージ、スライド式ゲージ等ではまだ捕捉しきれない釘が多く、また従来の組物ゲージではその組物ゲージ自体の着脱に手間がかかり過ぎる現状があり、このような課題を打開した画期的なゲージの開発が求められていた。
【課題を解決するための手段】
【０００８】
本発明は、上記課題について種々検討した結果、組物ゲージでは着脱に手間がかかり過ぎ、釘角度修正にはかなりの熟練を要する点を改良すべく、種々の構造上の改良、例えばゲージを載置するためのフレーム、フレームの取付け方の工夫（磁性固定具やパチンコ盤の枠板の利用等）、フレームの付属機構（フレーム押さバー、ホルダ、スライダ等）、ゲージの構造、ゲージに照明システムの取付け、ゲージを構成する基板に滑り止め、釘頭用段差等を試み、熟練を要することなく精度良く短時間で釘角度を測定し、角度の微調整をも可能とした遊技機釘角度測定ゲージを提供できることを発見した。
【０００９】
即ち、本発明は、以下の通りである。
（１）釘９、役物１５、湾曲状レール４等が植設されたパチンコ盤面において、該湾曲状レール４の内側に当接可能な直状フレーム６とゲージ１とからなる組物ゲージであって、
（ｉ）該フレーム６が該レール４に当接可能で且つゲージ１を構成する支持脚３の高さに相当する一辺の長さを持つ矩形状平板から構成され（図１、３（イ））、
（ｉｉ）該ゲージ１が、長方形の基板２と該基板の片側端部に突設した支持脚３から構成され（図１）、角度測定時に支持脚３がパチンコ盤面１０上の釘９に添って直立し、しかも該支持脚３が、（イ）支持脚３の下方部に角度測定冶具を一体に又は着脱自在に設けた支持脚３、或いは（ロ）該基板２と同一平面上に連設した円周に沿って度数目盛２３を表示した分度盤２０と、該分度盤２０の度数上の中心位置に設けた蝶ネジ６６を支点として回動自在に動き、一方の先端が分度盤２０の度数目盛を示す指針３０となり他端の下方部に角度測定冶具８を一体に又は着脱自在に設けた支持脚（図１６（ニ）、２０（ロ）、（ハ））のいずれかであることにより、釘調整を行えることを特徴とするパチンコ釘角度測定ゲージに関する。
【００１０】
本発明は下記の実施の態様をも包含する。
（１）該フレームＡが、矩形状平板単位から構成され、（イ）１枚の１段フレーム（図３（イ））、（ロ）複数枚を上下、左右又は反転させ重ねた多段フレーム６、６’（図４（イ））、（ハ）１端又は両端に側板６４を設けたフレーム（図１５）、（ニ）１端又は両端に脚部６５付き側板６４付きフレーム（図１５（ニ）〜（ト））、（ホ）スライド体６７付きスライド式フレーム（図１５（リ）〜（ワ））、（ヘ）板状鋏付きフレーム（図１０（イ）、（ロ））、（ト）脚部鋏み付きスライド式フレーム（図１０（ホ）、（ヘ））、（チ）Ｌ型バー付きフレーム（図１０（ハ）、（チ））のいずれか又はその組合わせである点にも特徴を有する。また、
（２）フレーム６への盤面への固定具が、（イ）Ｌ型具１３’と両端テープ１２の組物（図５（イ））、（ロ）板型具（図５（ニ））、（ハ）Ｌ型磁石具１３（図５（イ））である点にも特徴を有する。また、
（３）フレーム６とゲージ１との固定を助けるために、（イ）２枚のＬ型平板間にゲージ１挟持可能な空間を形成・固定した縦形スライダ４８と２枚の平板間にフレーム６挟持可能な空間を形成・固定した横形スライダ４８’とを組合わせた固定具（図１７）、或いは（ロ）２枚のＬ型平板間にゲージ１挟持可能な空間を形成・固定した縦形スライダ４８とフレーム押えバー２７を縦方向に挿入してフレーム６を押さえ可能な空間を形成・固定
した横形スライダ４８’とを組合わせた固定具（図１８）を使用する点にも特徴を有する。また、
（４）フレーム６とレール４、役物１５、釘９等との固定を助けるために、（イ）それらが鉄やステンレスの吸磁性体の場合には、種々の形状の磁石具１３又は固定具１３’を用い、（ロ）それらがプラスチック製の場合には、両面テ−プ１２を用いるか（図５〜７、１４）、或いは（ハ）フレーム６に設けた板状鋏６０、脚状鋏６０（図１０）、（ニ）フレーム６に重ねたＬ型バー６０ａ（図１０）、（ホ）フレーム６の端部にホルダ５４（図１１（イ）、１２、１３）（ヘ）洗濯鋏み５８（図１１（ホ）〜（ホ）、１４）を用いる点にも特徴を有する。また、
（５）フレーム６と釘９等との固定を助けるために、一体型の各種ホルダ５９（図１２、１３）を用いる点にも特徴を有する。また、
即ち、（ｉ）フレーム６の端部に一体に設けた図１２の（イ）半円ホルダ５９、（ロ）縦・横鋏み型ホルダ５９ａ、５９ａ’、（ハ）逆横鋏み型ホルダ５９ｂ、（ニ）横半円ホルダ５９’、（ホ）逆Ｌ型ホルダ５９ｂ、（ヘ）横半円型ホルダ５９、（ト）Ｌ型ホルダ５９ｃ、（チ）変形Ｌ型ホルダ５９ｃ’、（リ）カーブ型ホルダ５９ｄ、（ヌ）変形カーブ型ホルダ５９ｄ’（図１２（イ）〜（ヌ））、或いは図１３（ホ）のＬ型ホルダ５９ｃ、（ヘ）逆Ｌ型ホルダ５９ｃ’、（ト）逆カーブ型ホルダ５９ｄ’のいずれかであり、
（ｉｉ）フレーム６の端部に別体に設けた（ル）筒型ホルダ５９ｅ、（オ）縦鋏型ホルダ５９ｅ’である（図１２）或いは（イ）三日月型ホルダ５９ｆ、（ロ）横向型ホルダ５９ｆ’、（ハ）逆横向型ホルダ５９ｆ”、（ニ）三日月筒鋏み型ホルダ５９である（図１３）点にも特徴を有する。また、
（６）組物ゲージを構成する各種要素の内、ゲージ１、フレーム６、フレーム押さえバー２７の水平度又は垂直度を維持するために、下げ振り３１、水準器３２又はレーザーレベラーを以下のように用いる点にも特徴を有する。また、
即ち、（イ）下げ振り取付Ｔ字状；ゲージ１を構成する基板２の支持脚３近傍に取り付けた下げ振り３１又は（ロ）水準器取り付けＴ字状；基板２の下端に取り付けた水準器３２によるゲージ１の垂直度の確認（図２９）、
（ロ）補助板とフレームとの組物ゲージ；ゲージ１を構成する基板２の支持脚３の先端に設けた矩形状補助板４０上方縁に取り付けた下げ振り３１、水準器３２によるフレーム６の水平度の確認（図２７）、
（ハ）該補助板４０端縁に取り付けた下げ振り３１、水準器３２によりゲージ１の垂直度の確認（図２８）、
（ニ）フレーム押さえバー２７の下方部に設置されたレーザーレベラーから発生するレーザー光線７９によるフレーム押さえバー２７の水平度の確認（図４０）。
（７）固定具が、（イ）Ｌ型磁石具（図５（イ）、図６（ロ）、（ハ））、
（ロ）リング状バネ型固定具（図９（イ）、（ハ））、クリップ型固定具（図９（ホ））、板状挟み型固定具（図１０（イ）、（ロ））、Ｌ型バー組立型固定具（図１０（ハ）、（ト））、スライド体脚状挟付固定具（図１０（ホ）、（ヘ））のいずれかであるか、
（ハ）フレーム取付ホルダ（図１１（イ））、フレーム取付首振りホルダ（図１１（ハ））、洗濯挟み型ホルダ（図１１（ホ））、半円型ホルダ（図１２（イ））、挟み型ホルダ（図１１（リ）〜（ル））、図１２（ハ）〜（ホ）、（オ））、カーブ型ホルダ（図１２（リ））、筒型ホルダ（図１２（ル））のいずれかであるか、
（ニ）円弧状レールとフレームとの固定には、レールの角度変化に対応した固定具であるか、
（ホ）釘等へのフレームの固定には、三日月筒型ホルダ（図１３（イ）、（ニ））、横向型ホルダ（図１３（ロ）、（ハ））、Ｌ型ホルダ（図１３（ホ）、（ヘ））、カーブ型ホルダ（図１３（ト）、（チ））のいずれかであるか、
（ヘ）役物へのフレームの固定には、Ｌ型又は板型フレームでは両面テ−プによる固定又は洗濯挟み型クリップによるか（図１４）、
（ト）丸形役物へのカーブ型フレームの固定には、両面テ−プによるか、
（チ）ゲージとフレームとの固定には、フレーム挿入用コ字状横スライダとゲージ挿入用Ｌ字状縦スライダとを互いに十字状に固着した固定具を用いる点にも特徴を有する。また、
【００１１】
（８）フレーム押さえバーが、板状押さえバー（図２６（イ））、先端へこみ付き板状押さえバー（図２６（ロ））、両溝レール嵌め込み板状押さえバー（図２６（ハ））、把手付き円状外押さえバー（図２６（ホ））のいずれかである点にも特徴を有する。また、
（９）  該ゲージＢの形状が、Ｌ型ゲージ（図１９（イ）、図２１（イ）〜（ハ）、（ト）〜（リ））、十字型ゲージ（図１９（ロ））、Ｔ字型ゲージ（図２１（ニ）〜（ヘ））、分度盤付きゲージ（図２０（ロ））、支持脚付きゲージ（図４（ハ））、蝶番纏め支持脚付きゲージ（図１９（ハ）、（ニ））、上・下逆向支持脚付型ゲージのいずれかである点にも特徴を有する。また、
【００１２】
（１０）  角度測定冶具Ｃが、支持脚の下方部に一体に又は着脱自在に設けられ、且つ（イ）支持脚下方部が角度測定用矩形を構成する冶具（図３０（イ））、（ロ）楔型（図３０（ロ）〜（ト）、図３７（イ））、（ハ）３角柱型（図３４（ヘ）〜（ト））、５角柱型（図３５（イ）〜（ハ））、６角柱型（図３５（ニ）〜（ヘ））、８角柱型等の多角柱型、（ニ）円錐型（図３４（ハ））、逆円錐型（図３４（ニ））、円筒型（図３４（ホ））等の丸型、（ホ）上下丸み付き４角柱型（図３５（ト））、３面丸み付き３角柱型（図３５（チ））、４面丸み付き４角柱型（図３５（リ））、４隅丸み付き４角柱型（図３６（イ））等の丸み付き多角柱型、（ヘ）５面丸み付き円柱型（図３６（ロ））、６面丸み付き円柱型（図３６（ハ））、７面丸み付き円柱型（図３６（ニ））、８面丸み付き円柱型（図３６（ホ））等の丸み付き円柱型、（ト）４隅角取り直方板型（図３６（ヘ））、４隅角取り４角柱型（図３６（ト））、４面・４隅角取り４角柱型（図３６（チ））等の角取り型、（チ）柱状突起型（図３０（チ）〜（ル）、図３１（イ）、（ロ））、ピン型（図３１（ハ）、図３２（ト））、板型（図３２（チ））、矩形型（図３３（イ）、（ロ））、二股型（図３２（ヘ）図３７（ロ））、台形型（図３３（ハ））、突起付きベース板型（図３３（ト）〜（リ）、図３４（イ）、（ロ））のいずれかである型であることを特徴とする。
【００１３】
（１１）着脱自在な角度測定冶具が磁性ゴム等の磁性材料から構成され、ゲージが鉄材等の磁性材料を吸着可能な吸磁性材料から構成される点にも特徴を有する。また、
（１２）組物ゲージを構成する各種構成要素の内、少なくともフレーム、フレーム押えバー、ゲージ、ホルダが磁化されている（図１）点にも特徴を有する。また、
（１３）フレームＡ中に釘頭の逃げ溝を設ける（図３）点にも特徴を有する。また、
（１４）フレームＡに重ねて補助フレームを設け釘頭の支えとする（図３）点にも特徴を有する。また、
（１５）支持脚の下方に釘頭を係止するフック、段差（図３２（ハ）、（ニ）図３３（ニ）〜（ヘ））、柱状突起（図３０（チ）〜（ル）、図３１（イ）、（ロ））、へこみ（図３３（ニ））、また釘軸合線（図３２（ロ）、図３７（イ））、支持脚の先端に丸み当接面（図３０（イ）、図３３（ロ）、図３７（イ））のいずれかを設ける点にも特徴を有する。また、
（１６）ゲージＢを構成する基板に滑り止め孔等の滑り止め機構を設ける（図１９（ロ））点にも特徴を有する。また、
【００１４】
（１７）支持脚６の盤面当接面に近づけて照明システムを構成する照明部１６を設け、しかも該照明部１６が（イ）支持脚６への発光又は蛍光塗料の塗布面によるか、（ロ）支持脚内部に照明部の埋込み（図１９（イ）、図２１（イ）（ニ））、或いは（ハ）支持脚の外側に豆球の設置によるものであり、及びスイッチ部１８と電源部（電池）１９を基板
２、或いは支持脚６のいずれかに設けて（図１９（イ））、ゲージ使用時の支持脚先端の明るさを維持する点にも特徴を有する。また、
（１８）照明システムとして、スイッチ部、電源部を磁性ベース板に載せ、照明部を豆電球としてその間を配線で連絡して取外し自在とした点にも特徴を有する。また、
（１９）照明システムにおいて、各スイッチ部、電源部と照明部との接続のために、両者の接続をコネクトを介してカールコード又はコードにより行う点にも特徴を有する。また、
【００１５】
（２０）ゲージ１を構成する基板２端部の肩部に、支持脚３に設けた角度測定冶具８の角度度数を表示する（図３（ハ）、図４（ハ））点にも特徴を有する。また、
（２１）  パチンコ盤面に懸架したフレームＡを安定させるために、縦長細板状フレーム押さえバーを用いるか或いは該フレーム押さえバー自体もフレームＡ同様ゲージＢとの組物ゲージである点にも特徴を有する。（図２６）また、
（２２）ゲージＢが、基板に下げ振り又は／及び水準器を設けたゲージであるか、又はゲージを取付け且つ下げ振り又は／及び水準器を設けた補助板である点にも特徴を有する。、また（図２７〜２９参照）
（２３）分度盤付き支持脚によるパチンコ釘角度測定法が、特許第３７４８３３５９号公報の段落８、９によって行われる点にも特徴を有する。
【発明の効果】
【００１６】
（１）パチンコ台の機種毎に盤面上の夫々の特定部分に於て、様々な釘の角度が求められる多様化の中で、希望する様々な角度に釘を手早く、初心者にも簡単に精度の高い測定、調整結果を提供できる。
（２）、基本的にパチンコ盤面のレールに架けたフレームとゲージとの組物ゲージの適用により、構造的にシンプルで、熟練を要することなく短時間で高精度の測定、調整結果が得ることができる。
（３）パチンコ盤面に打ち込んだ釘の上下方向又は左右方向の釘角度の測定を短時間で可能である。
（４）１°単位あるいは０．５°単位のように決められた度数単位毎の角度測定面付き支持脚を複数枚用意するか、種々の形状の角度測定冶具の選択により多様な範囲の角度測定が可能となる。
（５）片手で持ち易く、測定操作がし易いので、角度測定を効率よく短時間で行うことが可能である。
（６）熟練を要することなく釘角度の調整を行うことができ、入賞率や出玉率を制御することができる。しかも、釘角度の測定や微調整に限らず、複数台のパチンコ機の特定の釘が同じ傾斜角度を有しているかどうかの確認作業にも使用できる。
【発明を実施するための最良の形態】
【００１７】
（Ａ）本発明の特徴；
（１）ゲージの一端をフレームに載せて計測するために、パチンコ盤面に接触するのは、従来法のスライド式ゲージでは２点接触であるのに対して本発明のゲージでは支持脚の１点だけで可能であり、釘、役物等の集合した狭い所でも計測可能である。
（２）従来の組物ゲージに比較してより構成が簡単な上、フレームの固定方法に様々なバリエーションがあるので、計測釘捕捉率が一段と飛躍させることができた。
（３）少なくともフレーム、フレーム押えバー、ゲージを磁気化しても良いので、パチンコ盤面上をフレーム、ゲージが移動し易く、バラバラに落ちたりしなくできる。
（４）本発明のゲージに水準器、レーザーレベラー又は下げ振りを併用することにより測定・調整の精度が一段と飛躍させることができた。
（５）このゲージはパチンコのみならず、雀球（ジャンキュウ）、アレンジボール、スマートボール盤面等と釘等からなる遊技体であれば、全てに有効な作用を与える。
【００１８】
本発明を図面に基づいて詳細に説明する。
ここで言うレールとは、パチンコ盤面の内周に沿ってパチンコ盤輪郭と略似たステンレス等の金属製リングであって、打ち出されるパチンコ玉を弾発して外に飛び出ないようにする枠体を意味する。
図１は、パチンコ盤面１０に設けてあるレール４に懸架したフレーム６の固定法の骨子を示し、本発明のゲージの一端を載せて計測・調整する状態を示した配置例を示す斜視図である。
図２は、本発明のゲージの使用例を示す模式図である。（イ）釘水平方向の計測例であって、盤面右側に釘９の存在する場合の例であり、（ロ）は盤面左側に釘９の存在する場合の例である。（ハ）は釘垂直方向の計測例であって、盤面下方に釘９の存在する場合の例である。
【００１９】
ここで言うフレームとは、パチンコ盤面上のレールに懸架してゲージによる釘角度の計測・調整を助ける補助具を意味し、必要に応じて釘頭を逃がすため等のためにフレーム面の表裏に補助フレームを設けても良い。
図３は、１段フレームの盤面への設置例１を説明する模式図である。
（イ）は基本的な１段フレームの構造を示し、１段フレーム６、ゲージ当接面７、盤面当接面７’との関係を示し、このフレームは左右・上下反転も可能であり、（ロ）は薄板状フレームの場合で、（イ）の場合のフレーム６を例えば２本の釘９、９上に載せた例を示し、この場合にはフレーム６は釘、役物等より低くなって、（ハ）は（ロ）の場合の垂直盤面での使用例を示し、盤面１０上のフレーム６とゲージ１の支持脚３側面上の角度測定冶具８と釘９との関係を示し、フレーム６は釘９等より低くできる。また、ゲージ１の基板２の先端に角度測定冶具８、８’の角度表示を示し、計測・調整時の便宜を図る。
（ニ）は釘頭の逃げ溝を示し、フレーム６に釘９を確実に載せるための釘頭の逃げ溝２１を設け、フレーム６を上下反転させた場合にはフレーム６の下方に釘頭の逃げ溝２１’を設ける、（ホ）は厚板状フレームの場合で、（ロ）の場合のフレーム６に比して厚いフレーム６を使用し、（ヘ）は（ホ）の場合の盤面１０上のフレーム６とゲージ１の支持脚３の角度測定冶具８と釘９との関係を示し、ゲージ１を釘、役物等より高くできる。
（ト）は釘頭を逃がすための補助フレーム２２を設けた場合を示し、フレーム６の裏側にも補助フレーム２２を設けても良い。また、上下・左右反転しても良い。
【００２０】
図４は、２段フレームの設置例２を示す模式図である。
（イ）は２段フレーム６、６の構造を示し、（ロ）は（イ）の場合のフレームと釘との関係を示し、フレーム６、６’を例えば２本の釘９、９上に載せた場合、フレーム６は釘、役物等より高くできる。（ハ）は（イ）の垂直盤面での使用例を示し、２つのフレーム６、６’は同長であれば、上下・左右反転しても良い。また、ゲージ１の基板２の先端に角度測定冶具８、８’の角度表示を示し、計測・調整時の便宜を図る。
【００２１】
ここで言う固定具とは、フレームとレールとの固定を助ける補助具を指し、固定具自身が他者に強力に吸着できる磁性を有する磁性具でも、また磁性を持たせず両面テープにより他者への固着を助けても良い。
図５は、フレームの盤面への設置例３を示す模式図である。
（イ）はフレームにＬ型磁石具又はＬ型具付きフレームを示し、フレーム６にＬ型磁石具１３を取り付け又はプラスチック等の（吸磁性のない）Ｌ型具１３’を両面テープ１２で止めで取り付けた場合を、（ロ）は（イ）の設置例を、（ハ）は両面テープ付きフレームを示し、両面テープ１２のみでフレーム６に取り付けた場合を、（ニ）は板型具付きフレームを示し、板型具４９ａを両面テープ１２でフレーム６に取り付けた場合を、又は板型具とフレームを一体に設けても良い。
（ホ）は（ハ）の設置例を、（ヘ）はＬ型具付きフレームを示し、両面テープ１２で取り
付けた場合を、（ト）は（ヘ）の設置例を示す。
これら磁石具は、プラスチック等の（吸磁性のない）固定具でも良い。
【００２２】
図６は、フレームのレール又は役物への設置例１を示す模式図である。
（イ）は（板状）フレーム６の盤面１０への設置例を示し、フレーム６の上面をゲージ当接面７、下面を盤面当接面７’として利用する。
（ロ）は厚Ｌ型、又はサイコロ型磁石具付きフレームを示し、レール４にフレーム６の取付けに用いる種々の形状の磁石具（厚Ｌ型磁石具１３ａ、サイコロ型磁石具１３ｂ）を、（ハ）は他の薄Ｌ型磁石具付きフレームを示し、例えば薄Ｌ型磁石具１３ｃを、（ニ）プラスチック製が普通の役物１５では例えば薄Ｌ型具１３ｃに両面テープ１２を使用した例を示す。また、全てのフレームにおいて、予め磁石具、接続具等をフレームと一体に形成又は接着剤等で固定しておいても良い。
また、これら磁石具１３は、樹脂製等にして両面テープ１２等での固定も可能である（図６〜８）。
【００２３】
図７は、Ｌ型フレームのレール又は役物への設置例２を示す模式図である。
（イ）はＬ型フレームの構造を示し、板型フレームに側板６４を取り付けた構造である。（ロ）は厚板型磁石具を示し、厚板型磁石具１３ｄによるＬ型フレーム６’のレールへの設置例を、（ハ）は薄Ｌ型磁石具を示し、薄Ｌ型磁石具１３ｅによりＬ型フレーム６’のレールへの設置例を、（ニ）は役物１５がプラスチック製の場合に両面テープ１２のみの使用例を示す。
【００２４】
図８は、レールに設置する接続具（例えば磁石具）例を示す模式図である。
以下に示した磁石具等は、その形状、大きさは一例であってこれに限定されず、任意の形状、大きさとしても良い。更に、本発明の磁石具等は磁石製に代えて例えばプラスチック系等で形成し、レール４、フレーム６の接触面に両面テ−プ等で取り付けても良い。
（ａ）は互いに平行な同長の複数個のフレーム１〜３を間隔を置いて磁石具１〜３によりレール４に設置した例を、（ａ）’は互いに方向が異なり、長さに長短のある複数個のフレーム１’〜３’を間隔を置いて磁石具１’〜３’によりレールに設置した例を示し（これによると、フレームは盤面に対して垂直、水平でなくても使用可能であり、計測精度等で問題はない）、
（ｂ）はフレーム１用磁石具の例イ〜ニを、（ｃ）はフレーム２用磁石具の例ホ〜チを、（ｄ）はフレーム３用磁石具の例リ〜オを、（ｅ）は角度変化に対応した薄板型又はカーブ型磁石具を示し、（ワ）蝶番１４で結んだ２枚の板からなる薄板型磁石具１３ｅ、（カ）蝶番１４で結んだ平面板とカーブ型板からなるカーブ型磁石具１３ｆ（カーブの向きを逆向でも良い）であり、この磁石具は上下・左右の反転可能である。
【００２５】
図９は、フレームとレール、役物、釘等の固定具例１を示す模式図である。
（イ）はリング状バネ・抑え付き固定具を示し、リング状バネ５０と抑え５１からなる固定具を、（ロ）は（イ）のレールへの固定例を、（ハ）はリング状バネ・当板・ネジ付き固定具を示し、リング状バネ５０と当板５３とをネジ５２で係止した固定具であり、
当板５３はこれを持ってネジを回すハンドル、把手等の機能を持つ意味合いのものである。
（ニ）は（ハ）のレールへの固定例を、（ホ）は細クリップ又は厚クリップ付き固定具を示し、細クリップ５４又は厚クリップ５４’からなる固定具であり、図示のようにレール、役物等を挟む状態を示し、（ヘ）は（ホ）の固定具をフレーム６への固定例を示し、（ト）は（ヘ）の固定例にレール４を挟んだ状態を示す。
（イ）〜（ト）の場合には、レール、役物、釘等の固定が可能である。
【００２６】
図１０は、フレームとレール、役物、釘等の固定具例２を示す模式図である。  この場
合も含めて本発明の全てのフレームには、図８−ｅの蝶番１４又は図１１−（ハ）の首振り型を併用でき、また、フレームを図１５−（チ）のようにスライド伸縮式に、又はフレームの脚部も以下（リ）、（ヌ）のようにスライド伸縮式にすると使い勝手が良い。
（イ）は間隔が狭い板状挟一体型であり、フレーム６の一端が板状挟６０と一体になってレール４を挟む構成を示し、（ロ）は間隔が広い板状挟一体型であり、フレーム６の一端がかなり間隔を置いて板状挟６０’となって役物等の大型物を挟む構成を示し、
（ハ）はＬ型バー組立型であり、フレーム６ｄにＬ型バー６０ａを一定間隔を置いて蝶ネジ６６で固定した着脱自在なＬ型バー組立型固定具であり、レール、役物等をＬ型バー６０ａで挟んで固定する。
【００２７】
（ニ）は（ハ）の取付例を示し、
（ホ）はスライド体・脚状挟付きフレームであり、脚部付きスライド体６７をスライド溝６９内に設けたフレーム６ｅの一端が間隔が開いて板状挟６０となってレール、役物等を挟むフレーム変形例１であり、脚部付きスライド体６７と板状挟６０との間で役物等を挟んで固定するが、この場合に点線の脚部付きスライド体６７’で右側を安定にしてフレーム６ｅを支える。
（ヘ）は（ホ）の変形であってスライド体・板状挟付きフレームであり、２つの脚部付きスライド体６７、６７’をスライド溝６９内に設けたフレーム６ｅ’の一端が間隔を置いて板状となし、脚部付きスライド体６５との間にレール、役物等を挟み、脚部付きスライド体６５’で右側を安定にしてフレーム６ｅ’を支えるフレーム変形例２であり、
（ト）はＬ型バー組立式フレームであり、両端が脚部６５ａ、６５ａ’をなしたフレーム６ｄ’の上部に嵌合溝６９’に、Ｌ型バー６０ａを挿入し、当板５３と蝶ネジ６６で固定するフレーム変形例３であり、Ｌ型バー６０ａとフレーム６ｄ’の板状脚部６５ａとの間でレール、役物等を挟む構成である。（チ）は（ト）の取付例を示す。
【００２８】
ここで言うホルダとは、フレームに取り付けて釘軸を保持する補助具を指す。
図１１は、フレームとレール、役物、釘等の固定具例３を示す模式図である。
（イ）はホルダ型固定具の構造であり、フレーム６の一端に係止されたホルダ５４ａからなるホルダ付きフレームを示す、（ロ）は（イ）の見下げ図を示す。（ハ）は首振型ホルダ固定具の構造であり、スライド溝６９内に嵌合した蝶ネジ６６によりスライド可能なスライド式フレーム６ｂの両端に保持扞５５をピン５６を介して左右に着脱自在なホルダ５４ａを係止した横視図の首振型ホルダ付きフレームを示し、この場合に、スライド式フレーム６ｂが左右に伸縮し、左右の釘にホルダ５４ａで固定する。（ニ）は（ハ）のスライド式フレーム６ｂの右側がレール当接面７ａとした場合を示す。
（ホ）は洗濯鋏み型固定具であって、板バネ５０’を介して突起４５、４５’の孔にピン５６’で止めた２つの押さえ板５８、５８’からなる洗濯鋏み型固定具であって、この場合、２つの押え板５８、５８’の端に釘逃用くぼみ６１を設けている。フレーム６を上記洗濯鋏み型固定具により釘、役物、レール等と挟んで固定する。
【００２９】
（ヘ）は（ホ）の固定具の２つの押さえ板５８、５８’の先端に釘用逃げ溝２１を設けた先端分解図を示し、上記（ホ）と基本的に同じ機能を有するが先端の釘軸を受ける形状に一部違いがある。
（ト）は（ホ）による洗濯鋏み型固定具３により、フレーム６と釘との固定法を説明する横視使用図を、（チ）は（ホ）の正面使用図を示し、
（リ）は縦挟み型固定具を示し、コイルバネ５０ｂの両面に長板６２を合体し、コイルバネ５０ｂの端に釘逃げ用くぼみ６１を設けたものであって、（ホ）の固定具において、釘がくぼみ６１に縦に入り固定するものである。
（ヌ）は（リ）の部分略図であって、釘逃げ用横溝２１ａを設け、釘を横方向から固定する構造である。
（ル）は（リ）の部分略図であって、前記（リ）の縦挟み型と同じく（ヌ）の横挟み型の
合体型であって、釘を縦、横のどちらからも固定可能である。
（ヲ）は（ヌ）の上視使用例を示し、（ワ）は（リ）の横視使用例を示す。
【００３０】
図１２は、フレームと釘等の固定具例４を示す模式図である。
この固定具は、全て上下・左右のどの方向にも使用可能である。
（イ）は半円ホルダ・フレーム一体型固定具を示し、半円ホルダ５９の内側の釘軸当接面７ｂに釘軸を沿わせる、（ロ）は（イ）の釘当接図を示す。
（ハ）は縦挟み形ホルダ・フレーム一体型固定具を示し、挟み形ホルダ５９ａをフレーム６の一端に設けたものであり、（ニ）は横挟み形ホルダ・フレーム一体型固定具を示し、横挟み形ホルダ５９ａ’をフレーム６の一端に設けたものであり、（ホ）は逆横挟み形ホルダ・フレーム一体型固定具を示し、逆横挟み形ホルダ５９ｂをフレーム６の一端に設けたものであり、（ヘ）は横半円形ホルダ・フレーム一体型固定具を示し、横半円形ホルダ５９’をフレーム６の一端に設けたものであり、
（ト）はＬ形ホルダ・フレーム一体型固定具を示し、Ｌ形ホルダ５９ｃをフレーム６の一端に設けたものであり、
（チ）は変形Ｌ型ホルダ・フレーム一体型固定具を示し、変形Ｌ型ホルダ５９ｃ”をフレーム６の一端に設けたものであり、
【００３１】
（リ）はカーブ型ホルダ・フレーム一体型固定具を示し、カーブ形ホルダ５９ｄをフレーム６の一端に設けたものであり、
（ヌ）は変形カーブ型ホルダ・フレーム一体型固定具を示し、変形カーブ型ホルダ５９ｄ”をフレーム６の一端に設けたものである。
（ル）は筒型ホルダ・フレーム別体型固定具を示し、筒型ホルダ５９ｅを蝶番１４を介してフレーム６の一端に設け、レバー４７と板バネ５０’により筒型ホルダ５９ｅが常時閉じていて、釘を包むように構成される。
（ヲ）は板縦挟み型・フレーム別体型固定具を示し、板挟みホルダ５９ｅ’を蝶番１４を介してフレーム６の一端に設け、レバー４７と横方向（バネの取付け１例）に片バネ５０ｃにより板挟みホルダ５９ｅ’が常時閉じていて、釘を着脱する時にレバー４７をフレーム６側に寄せ、板挟み型ホルダ５９ｅ’をバネ力に反して開くことによって簡単に釘の着脱が可能となる。
【００３２】
図１３は、フレームの釘等との固定具例５を示す模式図である。
以下の固定具例５は、図示する左側のみでなく、例えば右側に、逆向きに、または本発明のフレーム全てに適用可能である。
また、上下逆向きに使用する場合には、図左上の釘頭逃げの切り込みを左下に設けても良い。
（イ）は三日月筒型ホルダを示し、フレーム６の左端に三日月筒型ホルダ５９ｆを設ける、（ロ）は横向型ホルダを示し、（イ）のホルダの横向型ホルダ５９ｆ’である、（ハ）は逆横向型ホルダを示し、（ロ）のホルダの逆横向型ホルダ５９ｆ”である。
（ニ）は三日月筒挟みホルダ別体型を示し、（イ）の三日月筒型ホルダ５９ｆを、フレーム６に板バネ５０ａ又は片バネ５０ｃを介して蝶番１４により取り付けたものであって、板バネ５０’の代わりにコイルバネ等を用いても良い。
（ホ）はＬ型ホルダ・一体型を示し、フレーム６の一端がＬ型ホルダ５９ｃを示し、
（ヘ）は逆Ｌ型ホルダ・一体型を示し、フレーム６の一端が逆Ｌ型ホルダ５９ｃ’であり、
（ト）はカーブ型ホルダ・一体型を示し、フレーム６の一端がカーブ型ホルダ５９ｄであり、
（チ）は逆カーブ型ホルダ・一体型を示し、フレーム６の一端が逆カーブ型ホルダ５９ｄ’を構成する。
【００３３】
図１４は、フレームの役物等への固定例６を示す模式図である。
これらの固定例は、本発明の全ての磁石具、接続具、フレーム等に適用可能である。
（イ）は両面テープによるＬ型フレームの固定例を示し、Ｌ型フレーム６ｆを役物１５に両面テ−プ１２で固定する。
（ロ）は両面テープによる板型フレームの固定例を示し、板型フレーム６の役物１５等への両面テープ１２による固定例である。
（ハ）は洗濯挟み型クリップによるＬ型フレームの固定例を示し、フレーム６ｆと役物１５とを図１１−（ホ）に記載の洗濯挟み型クリップにより固定するものであり、
（ニ）は洗濯挟み型クリップ・フレーム一体型の固定例を示し、
（ホ）は丸型役物・カーブ型フレーム・両面テープによる固定例であり、丸型役物１５’とカーブ型フレーム６ａを両面テープ１２による固定する。
この場合、カーブ型フレーム６ａの反りを逆向き等としても良く、つまり、フレームに固定したい相手方の形状に併せた形状にすることが最も良い。また、フレキシブルホースのような素材を選択して形状変化が可能な素材でも良い。
【００３４】
図１５は、フレームの形状例１を示す模式図である。
ここに示したフレームの形状、大きさは１例であって、これに限定されるものでなく、使い勝手良く任意な形状、大きさのもので行うことができる。
フレーム６の盤面１０への固着法として、フレーム６の盤面当接面７’に両面テ−プ１２、シリコン系粘着剤、ポリウレタン系粘着剤等の粘着剤を施し、固着することもできる。
これらの技術は、本発明の全てのフレーム、磁石具、接続具等に有効なものである。
（イ）は両側板付きフレームを示し、この両側板６４によってふらつかず安定し、フレーム６の他端の側板６３は役物固定面の機能を持つし、
（ロ）は逆側板付きフレームを示し、この逆側板６４’によってふらつかず安定し、且つ役物との接合も可能であり、フレーム６の他端の側板６３’は丸みを帯びレール等の固定面の機能を持つし、
（ハ）は両側板付きフレームを示し、両側板６４をフレーム６に一体に形成して左右のどちら側の側板でも役物を固定できる。
（ニ）は両端脚部付きフレームを示し、この脚部６５、６５’は釘、役物等を回避できる。
【００３５】
（ホ）は側面脚部付きフレームを示し、側板６４にも脚部６５、６５’を設けたフレーム６を示し、この側板６４は安定板としての意味をも持ち、役物等との接合も可能である。
（ヘ）は両側面脚部付きフレームを示し、側板６４、６４に脚部６５、６５；６５’、６５’付きフレーム６であり、（ホ）の場合より安定形であり、
（ト）は（ヘ）の逆向型両側面脚部付きフレームを示し、
（チ）は蝶ネジによるスライド式フレームを示し、図６−（イ）の板状フレーム６をスライド式フレームとしたもので、板状フレーム６のスライド溝６９内に嵌合した２つの蝶ネジ６６、６６’によりスライドして板状フレーム６の長さが変えられる。
（リ）はスライド体によるスライド式フレームを示し、（チ）の変形フレームであって、板状フレーム６のスライド溝６９内に嵌合した２つの脚部６５付きスライド体６７、６７’が蝶ネジ６６によりスライドして役物、釘等から回避することが可能である。
【００３６】
（ヌ）は側面脚部付きスライド体付きフレームを示し、側板６４にも脚部付きＬ型フレーム６のスライド溝６９内に嵌合した２つの脚部６５付きスライド体６７、６７’が蝶ネジ６６によりスライドして役物、釘等から回避することが可能である。しかも、側板６４によってより安定度を増している。
（ル）は側面脚部付き蝶ネジによるスライド式フレームを示し、（チ）と同じく側板付き板状フレーム６のスライド溝６９内に嵌合した２つの蝶ネジ６６、６６’によりスライド
して板状フレーム６の長さが変えられる。
（ヲ）は両側面脚部付き蝶ネジによるスライド式フレームを示し、（ト）のスライド式に相当し、側板付き板状フレーム６のスライド溝６９内に嵌合した２つの蝶ネジ６６、６６によりスライドして板状フレーム６の長さが変えられる。
（ワ）は両側面脚部付き蝶ネジによるスライド式フレームを示し、（ヘ）のスライド式に相当し、側板付き板状フレーム６のスライド溝６９内に嵌合した２つの蝶ネジ６６、６６’によりスライドして板状フレーム６の長さが変えられる。
【００３７】
図１６は、コ字状フレームの形状例２を示す模式図である。
この場合、図１５におけるフレームの技術、スライド式、脚部付き等を併用しても良い。
（イ）はコ字型フレームを示し、２つの板型フレーム６、６を側板で一体としたものであり、
（ロ）はスライド体付きコ字型フレームを示し、蝶番１４で接続した２つの板状フレーム６、６に設けたスライド溝６９、６９を介して、脚部６５、６５’付きスライド体６７、６７；６７’、６７’を設けスライド可能としたものである。
【００３８】
なお、（イ）において、蝶番１４を設け、（ロ）では蝶番を不要としても良い。  この場合、フレームを２本設けたコ字状フレームとしたので、
（ａ）より一層安定し、（ｂ）ゲージの支持脚を盤面に接地させずに計測可能であり、（ｃ）２本のフレームにより常に安定してゲージと盤面が平行を保つことが可能である。
（ハ）は（イ）、（ロ）のコ字状フレームにゲージを載せた使用例を示し、釘の直近に役物がある場合等に有効であり、従来のゲージでは釘と役物との間隔が狭くて入らない。
（ニ）は同じコ字型フレームに分度盤付きゲージを載せた使用例を示し、２本のフレームによって釘がどのような角度でも安定して計測が可能である（度数表示は省略した）。
上記フレームの形状例は、本発明に係わる全てのフレームの形状・形態に適用可能である。
殊に、（ロ）におけるフレーム６とフレーム６を継ぐ蝶番１４の構成は、図１５におけるフレームにおいてもコ字状フレームとして使用可能である。
【００３９】
ここで言うスライダとは、フレームとゲージとを１つの固定具により収納・組立て可能とした収納・補助具を指す。
図１７は、フレームとゲージの固定具例１を示す模式図である。
（イ）は板状横・Ｌ字状縦スライダ組立式固定具を示し、２枚のＬ形板と当板をネジ５２で止めたゲージ１挿入隙間を２枚のＬ形板間に設けた縦スライダ４８と、複数の横板をネジ５２で止めたフレーム６挿入隙間を設けた横スライダ４８’からなり、フレーム６の挿入孔が横スライダの縦側面にあり、ゲージ１の挿入孔が縦スライダの前方下側にある構造である。
（ロ）はＬ字状縦・板状横スライダ組立式固定具を示し、（イ）の一部改良型であって、フレーム６の挿入孔が横スライダの横側面にあり、ゲージ１の挿入孔が縦スライダの前方下側にある構造である。
（ハ）はＬ字状縦・板状横スライダ組立式固定具を示し、（ロ）の一部改良型であって、フレーム６の挿入孔が横スライダの縦側面にあり、ゲージ１の挿入孔が縦スライダの前方上側にある。
（ニ）はＬ字状縦・板状横スライダ組立式固定具を示し、（ロ）の一部改良型であって、フレーム６の挿入孔が横スライダの横側面にあり、ゲージ１の挿入孔が縦スライダの前方上側にある。
【００４０】
（ホ）は（ロ）の使用例を示し、フレーム６両端に脚部６５を設け、横スライダ４８’中に設けた蝶ネジ５２（図示しない）の加減によりフレーム６を左右にスライドでき、また
、縦スライダ４８中に設けた蝶ネジ５２（図示しない）の加減によりゲージ１の基板２を上下にスライドでき、フレームの２本の脚部６５、６５’により水平方向が安定する。また、支持脚３とフレームの２本の脚部６５、６５’により垂直方向が安定する。従って、この固定具例１は、縦・横全てのがしっかりと安定するので、より正確な計測が可能となる。また、脚部６５、６５’を更に役物１５、釘９、レール４等と固定具等によって固定しても良い。
（ヘ）は（ホ）と同様な方法で（ロ）の使用例を示す。
（イ）〜（ニ）に共通して、これらスライダの構成板は一体に形成しても良い。（イ）〜（ニ）に共通して、使い勝手を良くするために、スライダ、ゲージ、フレームを磁気化させると、それぞれの部品がバラバラにならずに使い勝手が良くなる。
【００４１】
ここで言うフレーム押えバーとは、フレームを押さえてパチンコ台から外れないようにする補助具を意味する。
図１８は、フレーム押えバーとゲージの固定具例２を示す模式図である。
ゲージとフレームとの固定には、フレーム挿入用コ字状横スライダとゲージ挿入用Ｌ字状縦スライダとを互いに十字状に固着した固定具を用いる。
具体的には、（イ）はＬ字状縦・コ字状横スライダ固定具を示し、Ｌ字状縦スライダ４８と図１６（イ）に示すコ字状横スライダ４８’とを組立てた基本型であり、横スライダ４８’が横に広く開いてフレーム押えバー２７が入り、縦スライダ４８の上方隙間にゲージ１が入る。
（ロ）はＬ字状縦・枠付きコ字状横スライダ固定具を示し、（イ）の一部改良型であって、Ｌ字状縦スライダ４８と枠付きコ字状横スライダ４８’との組立式であり、枠付きコ字状横スライダ４８’の枠内にフレーム押さえバー２７が入り、縦スライダ４８の上方隙間にゲージ１が入る。
（ハ）はＬ字状縦・コ字状一体式横スライダ固定具を示し、（イ）の一部一体型固定具であって、コ字状一体式横スライダ４８’とＬ字状縦スライダ４８との組立構造であって、横スライダ４８’が横に広く開いてフレーム押えバー２７が入り、縦スライダ４８の上方隙間にゲージ１が入る（即ち、コ字状横スライダを一体に形成したものである）。
（ニ）はＬ字状縦・箱状横スライダ固定具を示し、（ロ）の一部改良型であって、箱状横スライダ４８’とＬ字状縦スライダ４８との組立式であって、横スライダ４８’の箱内にフレーム押さえバー２７が入り、縦スライダ４８の上方隙間にゲージ１が入る。
（ホ）は（イ）の使用例を示し、この場合に、下げ振り３１、水準器３２を付けた。これによって精度が高められ、特に図２７−（イ）のような釘角３６０度方向の計測には最大限の効果を発揮する。
【００４２】
これらの場合、（ｉ）図１７と特徴は同じである。（ｉｉ）図１７のようにフレーム６に対してでなく、フレーム押さえバー２７のＢ、Ｃ点によって水平方向が安定となる。（ロ）−（ｉｉｉ）フレーム押さえバー２７と支持脚Ａによって、垂直方向が安定する。（ロ）−（ｉｖ）よって、縦・横が全て安定した状態で計測するので、精度が向上する。（ロ）−（ｖ）図１７と同様に、使い勝手を良くするために、スライダ、ゲージ、フレームを磁気化させると、それぞれの部品がバラバラにならずに使い勝手が良くなる。
（ロ）、（ニ）はスライダとフレーム押えバーが外れないので使い安い。
【００４３】
図１９は、ゲージの種類例１を示す模式図である。
（イ）は照明システム付きＬ型ゲージを示し、支持脚３の側部に照明１６と基板２にスイッチ１８、電池１９とを回路１７により接続した照明システムである。（ロ）は滑り止め孔付長・短支持脚十字型ゲージを示し、基板２に２個等の滑り止め孔１１、１１’を設け、支持脚は短支持脚３ａ、３ａ’；長支持脚３ｂ、３ｂ’を備え、フレーム、フレーム押えバー当接面として支持脚３ｂ用が裏側の７ａ’１、支持脚３ａ用が側面の７ａ’２、支持脚３ａ’用が他側面の７ａ’３、支持脚３ｂ’用が表面の７ａ’４である。
（ハ）は蝶番纏めＬ型ゲージを示し、ゲージ複数枚（４枚）のＬ型ゲージを蝶番１４で纏め、簡単に両側に開くようにしたゲージであり、ゲージの枚数は制限されない。
（ニ）は蝶番纏め上下逆向Ｌ型ゲージを示し、複数枚（４枚）の基板両端に支持脚付きゲージを蝶番１４纏めとしたゲージであり、簡単に両側に開くようにしたゲージであって、ゲージの枚数は制限されず、１枚でも良い。
【００４４】
図２０は、ゲージの種類例２を示す模式図である。
（イ）は図１９−（ニ）のゲージの使用例を示し、（ロ）はスプリング・スライド付き分度盤付きゲージを示し、（ハ）は別のスプリング・スリット付き分度盤付きゲージ２を示す。
（ロ）、（ハ）は支持脚３がスライドすることにより９０°（０°）を中心に支持脚３が傾斜しても、支持脚３と盤面が浮くことがなく、常に盤面との接触を可能とする。
【００４５】
図２１は、ゲージの種類例３を示す模式図である。
（イ）は図１９−（イ）の標準型ゲージの照明システム付きＬ型ゲージを示し、（ロ）は（イ）のゲージの上向Ｌ型ゲージを、（ハ）は（イ）のゲージの下向Ｌ型ゲージを、（ニ）は図１−（イ）のゲージの照明システム付きＴ字型ゲージを示し、（ホ）は（ロ）のゲージの両上向Ｔ字型ゲージを示し、（ヘ）は（ハ）のゲージの両下向Ｔ字型ゲージを示し、
（ト）は照明システム付き・上下逆向Ｌ型ゲージを示し、基板２の上下に直角的に支持脚３、３’を設け、その支持脚に照明１６、１６’；スイッチ１８；電池１９が互いに回路１７、１７’で電気的導通し、コイル状コード２６で接続した照明システム付きゲージを示し、
（チ）は上下逆向Ｌ型ゲージを示し、（ロ）のゲージの変形であって、基板２の上下に上向き・下向きに傾斜して支持脚３、３’を設けた、
（リ）は下上逆向Ｌ型ゲージを示し、（ハ）のゲージの変形であって、基板２の上下に下向き・上向きに傾斜して支持脚３、３’を設けている。
【００４６】
図２２は、縦・横取り付け押さえバーによるフレーム固定法の別例を示す模式図である。
（イ）はパチンコ盤面１０上に縦に取付けたフレーム押さえバー２７によるゲージ１の使用例を示し、押さえバー２７は盤面１０を３６０°回転できる。
（ロ）はパチンコ盤面１０上に横に取付けたフレーム押さえバー２７によるゲージ１の使用例を示し、押さえバー２７は盤面１０を３６０°回転できる。
一般的に、パチンコ盤面１０上にガラスは２枚入っている。盤面１０の円、例えば一方の内側のガラス溝等にフレーム押さえバー２７を差し込み使用する（図２６−（イ）、（ロ）、（ハ）参照）。
【００４７】
図２３は、スライド式ゲージを用いる従来法による計測例を示す模式図である。
スライド式ゲージも役物に邪魔されて計測不能である。例えば、１８本の釘の内、Ａ、Ｂ、Ｃの釘をスライド式ゲージの状態で計測すると、役物に邪魔されて計測不能である。図示すると；  （ｉ）Ａ釘群→１Ａスライド式ゲージで→１５Ａ役物にて不能（図２５−（イ））。
（ｉｉ）Ｂ釘群→１Ｂスライド式ゲージで→１５Ａ役物にて不能（図２５−（ロ））。
（ｉｉｉ）Ｃ釘群→１Ｃスライド式ゲージで→１５Ｃ役物にて不能（図２５−（ロ））。
【００４８】
図２４は、本発明によるフレームとゲージとの組物ゲージによる計測例を示す模式図である。
図示によると、全ての釘は完全に捕捉でき計測可能である。
（ｉ）Ａ’釘群→１Ａ’ゲージで→計測可能（図２５−（ハ））。
（ｉｉ）Ｂ’釘群→１Ｂ’ゲージで→計測可能（図２５−（ニ））。
（ｉｉｉ）Ｃ’釘群→１Ｃ’ゲージで→計測可能（図２５−（ニ））。
【００４９】
図２５は、本発明によるフレームとゲージとの組物ゲージと、従来法のスライド式ゲージとを比較した釘角度の測定・調整法を示す模式図である。
（イ）、（ロ）が従来ゲージ使用上の課題を示し、スライド式ゲージは役物の上に乗ってしまい、盤面１０に接地できずに計測不能である。
（ハ）、（ニ）は本発明のフレームとゲージとの組物ゲージ使用上の便利さを示し、フレーム６がしっかりと盤面１０に密着してゲージを安定に支える。
【００５０】
図２６は、フレーム押えバーの種類例を示す模式図である。
但し、フレーム押えバーの取付方法等については、フレーム押えバー２７の遊戯機との取付方法、位置等については、下記（ホ）に示すように、両溝付きレール４ａと役物１５等との間に固定しても良く、また、これらは１例であって、その機能を効果的に発揮できる構成であれば、他の構成であることを妨げない。
（イ）は板状フレーム押えバーを示し、ガラス嵌込み用レール４’に嵌め込んだ板状フレーム押えバー２７による使用例であり、
（ロ）は先端へこみ２８付き板状フレーム押えバー２７による使用例であり、
（ハ）は両溝レール嵌め込み板状フレーム押えバーを示し、両溝付きレール４ａに嵌め込む又は図のように両溝付きレール４ａと役物１５の間に挟んだ板状フレーム押えバー２７を使用しても良い。
別例として、図２６−（ハ）のように、金属製のガラス枠４ａに磁性フレーム押えバーを取り付けても良い。また、ガラス枠４ｂがプラスチック系であれば両面テープ１２等で取付けても良い。
（ニ）は（ロ）の先端へこみ２８付きフレーム押えバー２７の拡大図を示し、予め長短幾つかのサイズのフレーム押えバーを用意しておいても良い。
（ホ）は把手付きフレーム押えバーを示し、把手２９’付き外フレーム押えバー２７ａと把手２９付き内フレーム押えバー２７ｂとの組合わせであり、両方の把手２９、２９’を掴んで上下に伸縮又はスライド可能である。
（ヘ）はフレーム押えバー２７の形状例を示し：フレーム押えバー２７を上から見た各形状の種類例であり（ａ）矩形状、（ｂ）１突起付き矩形状、（ｃ）２突起付き矩形状、（ｄ）（ホ）の外フレーム押えバー２７ａ；リング押さえ状、（ｅ）（ホ）の内フレーム押えバー２７ｂ；横長リング状を示し、（ｄ）のリング押さえバーの中に挿入してスライド可能となり、（ホ）と同様のスライド機能を持たせることができる。
【００５１】
（ｉ）（ａ）〜（ｅ）のフレーム押えバーをガラスレール又は隙間等に差し込んでフレームを盤面に圧着する。
（ｉｉ）（ａ）〜（ｅ）は、単独でフレーム押えバーとしても可能であるが、（ヘ）−（ｄ）の中に挿入して（ホ）のフレーム押えバーのようにスライド型としても可能である。
（ｉｉｉ）フレーム押えバーの形状、大きさ等は一例であって、こらに限るものではない。
（ｉｖ）フレーム押えバーの伸縮の理由；盤面は一般的に円形のため、直径を最長として端に寄るにつれて短くなるためである。例えば、中心付近の釘計測では、フレームを長く伸ばし、逆に右端の釘ではフレームを短くする必要がある。図２４の３通りの長さの違いを参照することが望ましい。
（ｖ）また、別例として図示していないが、（ホ）のように内側等にコイルスプリング等を内蔵し、伸長方向にバネ力が働くようにしておき、把手２９、２９’を縮めてガラス嵌め込み用レール４’に嵌め込めば、フレーム押えバー２７の落下を防止することが可能となる。
【００５２】
ここで言う補助板とは、ゲージに水準器、下げ振りを取り付けるための矩形板であって、ゲージを構成する基板に接続して設けるものを指す。
図２７は、ゲージ取付・下げ振り、水準器付き補助板とフレームとの組物ゲージを説明する模式図である。
（イ）は、６角柱冶具の場合の、ゲージ取付・下げ振り・水準器付き補助板とＬ型フレームとの組物ゲージの使用例を示し、ゲージ１付き補助板４０には、その上端に６角柱冶具８付き支持脚３と基板２とを備えたゲージ１がネジ５２により固定され、補助板４０には下げ振り３１とその基点３８と水準器３２が設けられている。フレーム６に該補助板を当て、盤面上の釘角度を該補助板４０の下げ振り３１及び／又は水準器３２により計測・調整する。
この場合、６角柱冶具８の側面７１で上下・左右３６０°の計測が可能である。
（ロ）はその６角柱角度測定冶具８に釘を当てた図を示し、その１つの側面７１’で左右方向の計測面を、他の側面７１ａで上下方向の計測面を示す。
【００５３】
・上記（イ）、（ロ）の組物ゲージによると、（ｉ）従来はＡＢ方向が支持脚と支持脚等により正確であったが、基板下部におけるＣＤ方向については目測で行っていたため不正確であった。特に、（ロ）のように、上下・左右の釘角度３６０°方向の計測では正確性に欠けていた。（ｉｉ）本発明の組物ゲージでは、下げ振り３１及び／又は水準器３２の使用により精度を高めることができた。
（ハ）は下げ振り３１の構造を示し、その構造は、糸７２とその頂点の糸止めフック７４、捩じれ止め７３（無用なふらつきを止める機能を有し、具体的には輪に糸７２を通し、補助板４０に固定する）、下げ振り３１、その基点３８からなる。
【００５４】
（ニ）は（ロ）の上視図を、（ホ）は（ロ）の横視図を示し、（ニ）、（ホ）は（ロ）の冶具を用いた場合の計測例である。
（ヘ）は水準器３２の構造を示し、図示の位置が水平の状態である。
これらの場合、（ハ）の下げ振り３１、又は（ヘ）の水準器３２は、どちらか一方があれば十分である。また、この技術は本発明の組物ゲージの全てに適用可能である。
（ト）は奥面から見た５角形角度測定冶具を示し：（ａ）先端３角形、（ｂ）先端線状、（ｃ）先端点状の図を示し、
（チ）は奥面から見た８角形角度測定冶具を示し：（ａ）先端４角形、（ｂ）先端３角形、（ｃ）先端丸状の図を示す。
これら（ト）、（チ）の角度測定冶具の場合、
（ｉ）奥面方向から見た正面図である。
（ｉｉ）利用者によって任意の希望角度とした場合、冶具は様々な形状に変えられる１例である。
（ｉｉｉ）図３０〜３７に示された角度測定冶具においても、形状、大きさ等はあくまでも１例であって、使い勝手良くするために、それらは任意に変更が可能である。
【００５５】
図２８は、補助板使用のゲージの種類例を示す模式図である。
（イ）は１個の支持脚付き板状補助板ゲージを示し、板状補助板ゲージ４０の下方に水準器３２を、上方にゲージ１の基板２をネジ５２により固定する。
（ロ）は両支持脚付き下げ振り付きＬ型補助板を示し、互いに一体な２個の支持脚３、３’を固定したＬ型補助板４０’であり、且つ該補助板４０’の長手板面に下げ振り３１が設けられ、該補助板の上方板に２個の支持脚３、３’がネジ５２’により固定されている。
（ハ）は両支持脚付き嵌合くぼみ付き板状補助板を示し、２個の一体な支持脚がネジ５２により固定された嵌合くぼみ６１付き板状補助板４０ａである。  これら（ロ）、（ハ）の場合、補助板に直接支持脚を着脱自在に取付けた例である。
（ニ）は両面支持脚付板状補助板を示し、（イ）の支持脚付き補助板４０の片側にも支持脚３’を付けた板状補助板である。
これらの場合、（ｉ）図２７−（イ）における下げ振り３１、水準器３２等が、取付け易い。（ｉｉ）角度の異なった支持脚３を用意しておき、必要に応じて補助板４０に着脱自在に使用可能である。（ｉｉｉ）支持脚３又は基板２を補助板４０に一体に形成しても良い。（ｉｖ）補助板４０の形状、大きさは使い勝手良いように任意な形状、大きさを採用できる。
【００５６】
図２９は、下げ振り、水準器直接付きゲージの例を示す模式図である。
（イ）は下げ振り付きＴ字状ゲージを示し、ゲージ１の基板２に下げ振り３１を取付けた下げ振り付きゲージ１を示し、このゲージは、本発明の全てのゲージにおいて、例えば予め糸止めフック７４、基点３８、等を必要に応じて設けおき、下げ振り３１を着脱自在に必要な箇所に取付けた例である。例えば、このゲージの基板２の裏側に下げ振り３１を設けても良い。
（ロ）は水準器付きＴ字状ゲージを示し、水準器３２も（イ）と同様に、例えば水準器３２を取付ける位置に線を入れ、正確な取付位置とすることもでき、また、ゲージ、水準器に溝を設けて嵌め合わせても良く、ゲージが金属系であれば磁石とし、プラスチック系であれば両面テープ等で取付けて使用できる。
【００５７】
〔まとめ〕
上記図１〜２９に示す組物ゲージにおいて、各構成要素の特徴を以下に説明する。
（１）フレームについて
（ｉ）フレームに設けている蝶ネジ６６の代わりにリベットでかしめてスライド自在にしても良い。
（ｉｉ）フレーム又はゲージを磁石化して、フレームとゲージが固着すると、手を離してもゲージが落下せず、使い勝手が良くなる。
（２）蝶番について
蝶番１４は金属製、プラスチック製等が可能である。
（３）照明システム、角度表示技術、滑り止め技術等は、本発明の全ての組物ゲージに適用可能である。
【００５８】
（４）クリップ５４、５４’（ホルダ５４ａ）等の固定具等は、単独の使用も良いし、またフレーム６、磁石具５、他の固定具と一体に設けても良い。
（５）固定具又はその補助具として、両面テ−プ１２の使用だけでなく、他の素材、例えばシリコン系、ポリウレタン系等の仮着性粘着剤をも含む。
なお、仮着性粘着剤とは弱い力では固着を解除できないが、強い力では解除可能となることである。
（６）水準器について
通常の水準器は、横方向に長い細管中に水と気泡とを注入し、気泡がその中心を保つことで水平状態を計測するものである。
一方、デジタル水準器も同様に使用できる。電気的に液晶表示により水平状態を計測するものである。
【００５９】
図３０は、角度測定冶具の種類１の（形状）と（使用例）を示す。
ここで言う角度測定冶具とは、ゲージを構成する支持脚の下方部に一体に及び／又は着脱自在に設けて釘軸角度の計測・調整に用いる補助具を指す。
（イ）は下方部分が矩形状の支持脚自体を用いる角度測定用矩形面付き先端半円型冶具を示し、その先端半円型であるとパチンコ盤面に安定して接することが可能であるので好ましく、また、先端の型としては縦又は横方向に楕円型でも良く任意の先端形状を採用できる；
（ロ）〜（ト）は各種楔型冶具であって、（ロ）は上側一体型の楔型冶具、（ハ）は上側着脱型の楔型冶具、（ニ）は下側一体型の楔型冶具、（ホ）は下向着脱型の楔型冶具、（ヘ）は両側一体型の楔型冶具、（ト）は両側着脱型の楔型冶具を示しており；
（チ）は上向柱状突起一体型、（リ）は上向柱状突起着脱型、（ヌ）は下向柱状突起一体型、（ル）は下向柱状突起着脱型を示し、その柱状突起は釘軸を安定して載置できるために一定間隔で離して少なくとも２個を要し、釘軸との接触面は安定して載置できるためには平面であることが好ましく、また、該突起の高さは特に制限されないが、釘軸の方向に対応するように高低差を設けても良い。
【００６０】
図３１は、角度測定冶具の種類２の（形状）と（使用例）を示す。
（イ）、（ロ）は図３０の（チ）〜（ル）の別の態様であって、（イ）は両側柱状突起一体型冶具、（ロ）は両側柱状突起着脱型冶具であり、該柱状突起〔図３０の（チ）〜（ル）及び図３１の（イ）（ロ）〕の形状は４角形の柱状に限らず三角形等の多角形でも良い、また、該柱状突起の設置位置は支持脚の左右・上下のいずれに設けても良い。
（ハ）はピン型冶具であり、その形状は細丸棒が代表的であるが、それに限定されず任意の形状で良く、また、上記柱状突起型の場合と同じく支持脚の左右・上下のいずれに設けても良い。
ピン型冶具は、上記柱状突起型の変形に相当するからその各種態様もそのまま適用できる。例えば、ピン型冶具の数は２つにかぎらず３つ、４つ等幾つでも良い。
（ニ）は右付け板型冶具、（ホ）は左付け板型冶具、（ヘ）は両側付け板型冶具であり；板型冶具の支持脚への取り付け位置は、上記柱状突起型、ピン型冶具の場合と同じく支持脚の左右・上下のいずれに設けても良い。
（ト）は支持脚の下方に突設した先細４面体型冶具であり、また先細正４面体型でも良い。（チ）は上（下）面付先細板型冶具、（リ）は上（下）面付先広板型冶具、（ヌ）は上（下）面付先薄板型冶具であり、先薄広板形でも良い。
【００６１】
図３２は、角度測定冶具の種類３の（形状）と（使用例）を示し、支持脚自体を角度測定矩形面としての利用のケースに相当し、その先端は特に図２０（ハ）のゲージとしての使用のために鋭角としている。
（イ）は支持脚の先端鋭角で角度測定面用矩状冶具冶具であり、図３０（イ）のケースの態様と同じであり、（ロ）（イ）の角度測定面用矩形状冶具において、角度測定面用矩形に釘軸合線２４をその中心に設けた場合を示し、支持脚の左側に設けても良いし、（ハ）は（イ）の矩形状冶具の途中の一側面に段差３３を設けて釘傘の回避のためのものであり、また、段差は冶具の下側に設けても良い。（ニ）は（イ）の矩形状冶具の途中の両側面に段差３３、３３’を設けて釘頭の回避のためのものであり、（ホ）は（イ）の矩形状冶具のパチンコ盤面への当接面を丸み３９を付けたものであり、冶具８の角度変化の時に、パチンコ盤面とスムースに接触可能とするものであり、本発明の冶具全てに応用可能である。
（ヘ）は二股状型冶具であって、先端が釘軸を中心に上下水平に伸長し分かれ、その二股部が釘軸を包み得る長さであって釘軸を収納できる釘軸収納部４４が形成され、図３２−（ヘ’）に示すように釘軸をａ−ｂ、ｃ−ｄの平行で合わせ得る冶具であり、
（ト）は右付けピン型冶具を示し、特に図３１（ハ）のピン型冶具を図２０（ハ）のゲージとしての使用のために構成したものであって、その態様をそのまま適用できる。
（チ）は右付け板型冶具であって、板型冶具の支持脚への取り付け位置は、上記ピン型冶具の場合と同じく支持脚の左側に、また、左右・上下のいずれに設けても良い。
【００６２】
図３３は、角度測定冶具の種類４の（形状）と（使用例）を示す。
（イ）支持脚の先端に矩形板を設けた矩形型冶具であり、これは着脱自在式又は一体式も可能であって、上下２面で計測が可能であり、また冶具を水平にしての使用も可能である。
（ロ）は丸み付き矩形型冶具において、パチンコ盤への当接面に半円状丸み３９を有し、これは当接面が直線（ロ’）の場合のように支持脚がパチンコ盤面１０から浮くことがなく、盤面上に冶具が安定して接地できる（ロ”）。また、この半円状丸みは、縦又は横方向に楕円型でも良く任意の先端形状を採用できる；
（ハ）支持脚の先端が縦長の台形状を呈した台形板型であり、当接面の傾斜角度を調整することによって釘軸角度に合わせるのに好ましい。
（ニ）〜（ヘ）は釘頭を引掛けための空所を設けたものである。
（ニ）へこみ４１付き冶具であり、また、へこみは冶具の下側、上下に設けても良い。（ホ）段差３３付き冶具であり、その冶具は一体型、着脱型に適用可能であり、また、段差は冶具の下側に設けても良く、また、冶具の先端が丸み３９を有して、この技術は本発明の全ての冶具に応用可能であり、（ヘ）両側段差付き３３、３３’冶具である。
（ト）〜（リ）はベース板の両端に丸み付き突起を設けたベース板型冶具であり、（ト）、（チ）は低壁部着脱式突起付きベース板型冶具、（リ）は高壁部着脱突起付きベース板型であり、突起は、低壁部４２、高壁部４２’とすることができ、低壁部４２、高壁部４２’の数は、ベース板４３上に２個に限らず幾つでも可能であり、また、この突起付きベース板型は壁部の高低差によって、上下に角度変化が可能である。突起の上面は釘軸を載せ易くするために半月状の丸みとすることが好ましく、突起の上面形状は釘軸を載せ得るなら特に制限されない。
また、支持脚とベース板４３とをネジにより固着することによりベース板を左右に移動させることもできる。更に、支持脚とベース板４３との位置によって左右に角度変化が可能であり、釘角度３６０°計測が可能である。
【００６３】
図３４は、度測定冶具の種類５の（形状）と（使用例）を示す。
（イ）、（ロ）は図３３−（ト）〜（リ）の他の態様ある。
（イ）低壁部一体式（着脱式）突起付きベース板型での使用例は（イ’）横視図であり、（ロ）高壁部一体式（着脱式）突起付きベース板型では、（ロ’）の見下し図の使用例で分かるように左右の角度変化が可能である。
（ハ）〜（ホ）は丸形であり、（ハ）円錐型では、丸形なので釘角度３６０°の計測可能であり、円錐面に釘軸合線３４を入れるとそれに合わせて計測を行い得て使い易く、（ハ’）の横視図による使用例で分かるように、大きく、小さく、楕円状にしたりして、多様なパターンが可能であり、
（ニ）逆円錐型であり、縦横に潰れても良い。（ホ）円筒型であり、丸形の他に楕円等でも良い。
（ヘ）〜（ト）は三角柱型であり、三面体型でも良く、断面が三角形でも希望角度で形状変化できる。
（ヘ）逆先細型であり、その斜面を利用して釘角度３６０°の計測可能であり、また斜面に釘軸合線３４を入れるとそれに合わせて計測を行い得て使い易い。
（ト）正三角柱型である。
【００６４】
図３５は、角度測定冶具の種類６の（形状）と（使用例）を示す。
（イ）〜（ハ）は５角柱型又は５面体型であり、釘角度３６０°の方向で計測可能であるが、勿論５角柱型以上の多角柱でも良い。
（イ）先細型であって、５面での計測可能であり、５つのパターンの釘角度が可能であり、（ロ）逆先細型、（ハ）正５角柱型であり；
（ニ）〜（ヘ）は６角柱型または６面体型であり、（ニ）先細型であって６面にて計測可能で６つのパターンが取れ、この応用として８面体も可能であり、（ホ）逆先細型、（ヘ）正六角柱型であり；これらの冶具を活用することにより３６０°の計測が可能である。
（ト）〜（リ）は丸み付角柱型であり、
（ト）上下面に釘軸を載置可能な丸みを形成してなる４角柱である丸み付４角柱型であっ
て、２つのパターンが取れ、また、計測部は上部のみ、下部のみ、左右等に設けても良い。
（チ）３面丸み付３角柱型であって、３つのパターンが取れ、（リ）４面丸み付４角柱型であって、４つのパターンが取れる。
これらの冶具を活用することにより３６０°の計測が可能である。
これらの丸みは半月状の丸みとすることが好ましく、釘軸を載せ得るなら特に制限されない。
【００６５】
図３６は、角度測定冶具の種類７の（形状）と（使用例）を示す。
（イ）〜（チ）は角に丸み付きの角柱、円柱であって、全て釘角度３６０°方向の計測可能であり、各丸みの間隔は等間隔が好ましい。
角柱の場合に例示の５角柱以上でも良い。
（イ）４隅丸み付４角柱型であって、４つのパターンが取れ、（ロ）５面丸み付円柱型であって、５つのパターンが取れ、（ハ）６面丸み付円柱型であって、６つのパターンが取れ、（ニ）７面丸み付円柱型であって、７つのパターンが取れ、（ホ）８面丸み付円柱型であって、８つのパターンが取れ、また、それ以上の丸みを設けても良い。
（ヘ）支持脚の下方に（直方板の４隅に釘軸を載せるべく四方角に切り込みを入れた）４隅角取り直方板を２枚又はそれ以上を釘軸を支え得る間隔を開けて配置した４隅角取り直方板型であって、４面計測可能で４つのパターンが取れ、直方板は矩形でも良く、１隅、２隅等幾つも設けても良い。
（ト）４隅角取り４角柱型であって、４つのパターンが取れ、１隅、２隅等幾つも設けても良い。
（チ）４面・４隅角取り４角柱型であって、８つのパターンが取れ、１隅、２隅等幾つも設けても良い。
（ト）、（チ）の応用型として４面及び／又は４隅角取りの５角柱以上でも適用できる。
【００６６】
図３７は、角度測定冶具の種類１〜７の一部改良であって、その（形状）と（使用例）を示す。
（イ）は、両側一体楔型であり、
（ロ）は二股型であって、図３２−（ヘ）の応用であり、
（ハ）は右付け板型であり、この板型は図示の２枚に限らず何枚でも良く、また冶具の左右等に設けても良い。
（ニ）は４角柱型に先細に各斜面を設けた８角先細型である。これは図３５（ニ）の６角柱先細型に対応する。
【００６７】
図３８は、角度の呼称例を示し、（イ）釘９をパチンコ盤面８に垂直方向に、（ロ）は釘９を水平方向にセットした場合を示す。
図３９は、パチンコ盤面上にレーザーレベラー（水準器）による設置例を示す模式図である。
（イ）レーザーレベラーによるフレーム押えバー横置の計測例である。（ロ）はレーザーレベラーによるフレーム押えバー縦置の計測例である。
即ち、図３９−（イ）では、パチンコ台６８にフレーム押えバー２７と、レーザーレベラー７７を設置した図である。
図４０の（イ）図に示されるように、レーザーレベラー７７の発した垂直線のレーザー光７９はフレーム押えバー２７に印された基線３８′に当り、いずれかの基線３８′に合うようにレーザーレベラー７７とフレーム押えバー２７を動かし合せる。
この合った位置でフレーム押えバー２７は正確に水平状態となる（レーザーレベラー７７はどの位置に動かしても垂直を表示する）。
【００６８】
図３９−（ロ）では、フレーム押えバー２７をパチンコ台６８に縦に設置し、レーザーレベラー７７の発した水平線のレーザー光で図３９−（イ）図と同様にフレーム押えバー２７の基線３８′とを合せることで、フレーム押えバー２７は正確に垂直状態となる（この場合フレーム押えバー２７と基線３８′は直角に印する事が必要である）。
図４０は、レーザーレベラーの構造及びその設置例を示す模式図である。
（イ）はレーザーレベラーの計測例であり、（ロ）はレーザーレベラーの構造を示し、（ハ）はレーザーレベラーの上視図である。
即ち、図４０−（イ）は、図３９−（イ）で設置したレーザーレベラーの拡大部分図である。
図４０−（ロ）は、レーザーレベラー７７が上方正面と奥側とにピン５６ａで２ヶ所回動自由にホルダー小５４ｃに軸支され、さらにレーザー発生装置７８内下部には電池１９とボタンスイッチ１８′が設けてある。
更に、この状態で、図４０−（イ）に示すように、レーザーレベラー７７はホルダー大５４ｂ内に挿入される。
【００６９】
図４０は、ゲージ等の垂直状態を計測・調整するためのレーザーレベラー又は水準器、の機構を説明する模式図である。
（イ）レーザーレベラー７７はホルダー小５４ｃ、ホルダー大５４ｂ内の左右のピン５６ａの２ヶ所で回動自由に軸支される。
以上によってレーザーレベラー７７は前後左右回動可能な状態となっている。  （ロ）では、（イ）に示すレーザー発生装置７８はその下部に設けた電池１９、ボタンスイッチ１８′等又は任意に重りを設けても良く、それらの重力によって地球中心部に重力を発生しているので自らレーザー発生装置７８の上部に設けたレーザー発射口から出たレーザー光は垂直に発光する仕組みとなっている。
（ハ）はレーザーレベラー７７を上から見た図である。レーザーレベラー７７上部のレーザー発射口には、レーザー光線の発射口（垂直線）８０とレーザー光線の発射口（水平線）の２つを設け、図３９−（イ）に示すようにフレーム押えバー２７を水平にセットしてレーザー光線の発射口（垂直線）８０を使用し、レーザー光と基線３８′を合せる。
また、図３９−（ロ）に示すようにフレーム押えバー２７を垂直にセットしてレーザー光線の発射口（水平線）８０′を使用し、レーザー光と基線３８′を合せて使用する。
【００７０】
（レーザーレベラーのまとめ）
１．以上のようにフレーム押えバー２７を正確に垂直・水平方向にセット可能となり、殊に図２７−（イ）に示す釘角３６０度方向の測定にはこのレーザーレベラーは十分な効果を発揮する。
２．レーザーレベラー７７のパチンコ台６８への取付方法としては、両面テープ１２による固定法又は図６〜９に示すような各種固定具類を使用しても良い。  ３．レーザーレベラー７７は置いて使う事も可能なので、例えばパチンコ店の床に置いて使用する事も可能である。
４．レーザーレベラー７７はどのような状態でも垂直にレーザー光線７９を発生させるので、図４０−（ハ）で分かるようにレーザーレベラー７７を９０°回転させることによってレーザー光線の発射口（垂直線）８０はレーザー光線の発射口（水平線）８０′へと変化でき、またその逆も可能であり、つまりどのように取付けても同様な効果が得られる。
５．レーザーレベラー７７はフレーム押えバー２７とのセットのみならず、フレーム、ホルダー、ゲージ等にも、組合せは可能である。
６．図示していないが、例えば、図１でフレーム６にパチンコ台６８の左側、又は右側にレーザーレベラー７７を取り付け、フレーム６の水平長手方向に直接レーザー光線７９を当て、合せることも可能である。
７．このようにして合せる方法は、フレーム押えバー２７にても同様の使用法が可能で
ある。
８．図示していないが、レーザーレベラーに水準器又は小型化した下げ振りをネジ止め等により取付けても良い。
このようにすることによって、一体の物体で全てがコンパクトに納め、より多様な使用状況に対処し易くなる。
【００７１】
（Ａ）組物ゲージ
本発明の組物ゲージは、基本的に、パチンコ盤面１０に設けたレール４に懸架したフレーム６にゲージ１の一端を載せて計測・調整する（図１）。
組物ゲージを構成する各種要素の内、少なくともフレーム、ゲージを磁気化すると、パチンコ盤面を移動し易くなり、フレーム、ゲージは勿論のこと、各種要素もバラバラに落ちないようにできる。
【００７２】
（１）フレーム
（ｉ）フレームの形状
フレームは、基本的に、単位として矩形状の平板から構成され、１段フレーム（図３（イ））、２段フレーム（図４（イ））、Ｌ型フレーム（図７（イ））、両側板付きフレーム（図１５（イ）、（ハ））、逆側板付きフレーム（図１５（ロ））、両端脚部付きフレーム（図１５（ニ））、側面脚部付きフレーム（図１５（ホ））、両側面脚部付きフレーム（図１５（ヘ）、（ト））、蝶ネジによるスライド式フレーム（図１５（チ）、（ル）、（オ）、（ワ））、スライド体によるスライド式フレーム（図１５（リ）、（ヌ））、コ字状フレーム（図１６（イ））、スライド体付きコ字状フレーム（図１６（ロ））、脚状挟み付きフレーム（図１０（イ）、（ロ））、スライド体・脚部付きフレーム（図１０（ホ）、（ヘ））、Ｌ型バー付き組立式フレーム（図１０（ト））等とその機能が発揮できれば特にその形状は限定されない。
（ｉｉ）逃げ溝等
（ａ）フレーム６中に釘頭の逃げ溝２１、２１’を設け、上下反転時にも使用できる（図３（ニ））。
（ｂ）フレーム６中に釘頭を載せる補助フレーム２２をフレーム６に重ねて設ける（図３（ト））。
【００７３】
（２）ゲージ
ゲージは、基本的に、基板Ａとそれに突設した支持脚Ｂ単独又は、その支持脚Ｂの先端に角度測定冶具Ｃを設けた支持脚Ｂ、又は該支持脚Ｂの他端に分度盤Ｄ（図１６（ニ）、図２０（ロ）、（ハ））を設けた支持脚Ｂから構成される。
ゲージを構成する基板Ａの他端に嵌挿して支持脚付きスライド体（図２３、図２５（イ）、（ロ））Ｅを設けても良く、更に、ゲージには、照明システム（図１９（イ）、）、滑り止め機構（図１９（ロ））、角度表示（図３（ハ）、図４（ハ））等の付加機能を設けても良い。
【００７４】
ゲージの形状は、基本的には少なくとも基板Ａとそれに突設した支持脚Ｂから構成されれば良く、具体的には  逆Ｌ字状ゲージ（図１９（イ）、図２１（イ））、Ｔ字状ゲージ（図３（ハ）、図２１（ニ））、長・短支持脚付きゲージ（図１９（ロ））、蝶番纏め逆Ｌ字状ゲージ（図１９（ハ）、蝶番纏め上下支持脚付きゲージ（図１９（ニ））、分度盤付きゲージ（図２０（ロ）、（ハ））、上向型支持脚付き逆Ｌ字状ゲージ（図２１（ロ））、下向型支持脚付き逆Ｌ字状ゲージ（図２１（ハ））、両上向型支持脚付きＴ字状ゲージ（図２１（ホ））、両下向型支持脚付きＴ字状ゲージ（図２１（ヘ））、上下逆向支持脚付きゲージ（図２１（ト））、上・下逆向支持脚付きゲージ（図２１（チ））、下・上逆向支持脚付きゲージ（図２１（リ））等を挙げることができる。
ゲージは、全てのフレーム６、フレーム押えバー２７に使用可能である。
ただし、フレーム６とパチンコ盤面１０、又はフレーム押えバー２７とパチンコ盤面１０とパチンコ盤面１０との距離（図２６）イ、ロハに示すようにフレーム押えバー２７のパチンコ台６８への取付位置によって、距離が異なるので、自ずとゲージの支持脚の長さも必要に応じた長さにしておく必要がある。
【００７５】
（３）フレーム押えバー
フレーム押えバー２７とは、レール４に懸架するフレーム押えバーがフレーム６に対して安定させるための補強具であって、基本的には、縦長の細板状バーから構成され、例えば板状押えバー（図２６（イ））、先端へこみ付き板状押えバー（図２６（ロ））、両溝レール嵌め込み板状押えバー（図２６（ハ））、把手付き円状外押えバー（図２６（ホ））、例えば（ａ）矩形状、（ｂ）１点突起付き矩形状、（ｃ）２点突起付き矩形状、（ｄ）リング状押えバー、（ｅ）横長リング状押えバー（図２６（ヘ））等を挙げることができる。
また、フレーム押えバーを図１６のようにコ字状に複数本設け、ゲージを使用することも可能である。
【００７６】
（４）補助板付き特殊ゲージ
（ｉ）下げ振り及び／又は水準器の取付  ・図２７（イ）に示されるように、ゲージ付き補助板の傾きを計測するために、補助板４０に下げ振り３１及び／又は水準器を取付けると共に、基本的に、基板２と支持脚３から構成されるゲージをその補助板の上側面に取付けた特殊ゲージを釘角度の計測・調整に用いることができる。
・下げ振り及び／又は水準器の取付は、補助板４０に限らず（図２７（イ））、ゲージ自体にもその基板２に適用できる（図２９（イ）（ロ））。
また、フレームに設ける或いはスライダに設けても良い（図１７、１８）。
【００７７】
（ｉｉ）角度測定冶具の選択
ゲージを構成する支持脚３の先端に着脱自在に及び／又は一体に設ける角度測定冶具８の選択が重要である。
角度測定冶具として、多角形冶具の使用が便利である、例えば、先端３角形、先端線状、先端点状の５角柱冶具（図２７（ト）−（ａ）、（ｂ）、（ｃ））が、また先端４角形、先端３角形、先端丸状の８角柱冶具（図２７（チ）−（ａ）、（ｂ）、（ｃ））等を挙げることができる。
【００７８】
（ｉｉｉ）補助板の形状
ゲージの把持機能を補うために、基板の補助的役割として補助板を使用しても良い。
補助板として、ゲージ１、下げ振り３１及び／又は水準器３２が取付けれるなら、その形状は限定されないが、板状（図２８（イ））、逆Ｌ字状（図２８（ロ））、くぼみ付き（図２８（ハ））、両面支持脚付き（図２８（ニ））補助板を用いることができる。
（ｉｖ）支持脚の形状
補助板に取付けるゲージの先端部分の支持脚３の構成についても、補助板に取付け易い形状を選択する必要があり、例えば、片側１本の支持脚（図２８（イ））、２本の一体型支持脚（図２８（ロ））、２本の別体型支持脚（図２８（ニ））等を挙げることができる。
【００７９】
（Ｂ）フレームとレール、役物、釘等との固定具
（ｉ）フレームの盤面への固定具
フレームの盤面への固定を助けるために、種々の形状した磁石具又は固定具を使用しても良い。
（ａ）磁石具型
磁石具は、固定の対象となるフレームとレール、役物、釘等が吸磁性を持つものの場合
に使用できるが、プラスチック製等の非吸磁性の場合には、各固定具との間を両面テープ等により固定する方法が採用できる。
磁石具としては、例えばＬ型磁石具１３（図５（イ））、Ｌ型具１３’（この場合に両面テープ１２の使用；図５（ハ））、板型具（図５（ニ））、逆Ｌ型具（図５（ヘ））等を挙げることができる。
【００８０】
固定具がプラスチック製の場合には、両面テープ等を使用すれば良い。
盤面のレール４は通常円弧状であるため、基本的にその固定具はレールの湾曲に或る程度馴染む形状が必要がある。レールは通常吸磁性である鉄、ステンレス製であるが、最近ではプラスチック系も多いために、固定に便利な磁石具が代表的であるが、フレーム、役物等がプラスチック製の場合には、両面テープ又はプラスチック系固定具に両面テープの併用が良い。
例えば、厚Ｌ形磁石具１３ａ、サイコロ形磁石具１３ｂ（図６（ロ））、薄Ｌ形磁石具１３ｂ（図６（ハ））或いは磁石具に代えたプラスチック系固定具等が使用できる。
【００８１】
・Ｌ型フレーム６’の場合、レールへの固定具としては、厚板状磁石具１３ｄ（図７（ロ））、薄板状磁石具（図７（ハ））が使用できる。
・フレームをレールに固定する固定具は、レールが円弧状であるため、フレームの固定の位置により固定具もレール面との接触面により選択される。
例えば、レールの上縁フレーム１用磁石具には、イ〜ニの形状のもの（図８（ｂ））を選択し、レールの途中フレーム２用磁石具には、ホ〜チの形状のもの（図８（ｃ））を選択し、レールの下縁フレーム３用磁石具には、リ〜オの形状のもの（図８（ｄ））を選択し、レールの角度変化に対応した磁石具には、２枚の板又はカーブ板を蝶番で左右に開ける薄板状ワ又はカーブ状磁石具カを使用すれば良い（図８（ｅ））。
【００８２】
（ｂ）バネ型
リング状バネ・押さえ付き（図９（イ））、リング状バネ・当板・ネジ付き（図９（ハ））、細クリップ又は厚クリップ（図９（ホ））；板状挟み一体型フレーム（図１０（イ））、Ｌ型バー組立式フレーム（図１０（ハ））、スライド体・脚付きフレーム（図１０（ホ））等を挙げることができる。
（ｃ）ホルダ型
ホルダ型取付フレーム（図１１（イ））、首振型ホルダ付きフレーム（図１１（ハ））、洗濯挟み型ホルダ（図１１（ホ））、縦挟み型ホルダ（図１１（リ））、横挟み型ホルダ（図１１（ル））等を挙げることができる。
また、半円ホルダ一体型フレーム（図１２（イ））、縦挟み型ホルダ一体型等を挙げることができる。
【００８３】
（ｄ）釘等用
三日月筒状ホルダ（図１３（イ））、横向きホルダ（図１３（ロ））、逆横向きホルダ（図１３（ハ））、挟み型ホルダ（図１３（ニ））、Ｌ状ホルダ一体型（図１３（ホ））、逆Ｌ状ホルダ一体型（図１３（ヘ））、カーブ状ホルダ一体型（図１３（ト））、逆カーブ状ホルダ一体型（図１３（チ））等を挙げることができる。
（ｅ）役物等への固定具
Ｌ状フレームの両面テ−プによる固定（図１４（イ））、板状フレームの両面テ−プによる固定（図１４（ロ））、洗濯挟み型クリップ（図１４（ハ））、Ｌ状フレーム・洗濯挟み型クリップ一体型（図１４（ハ））、丸形役物・カーブ状フレームの両面テ−プによる固定（図１４（ホ））等を挙げることができる。
（ｆ）ゲージへの固定具
コ字状横・Ｌ字状縦スライダ組立式（図１７（イ））、Ｌ状縦・コ字状横スライダ一体式（図１７（ロ））、枠付きコ字状横・Ｌ状縦スライダ組立式（図１７（ハ））、箱状横
・Ｌ状縦スライダ組立式（図１７（ニ））等を挙げることができる。
【００８４】
（Ｂ）滑り止め穴
（イ）本発明のゲージでは、丸状の滑り止め孔１１、１１’を基板２の両端に（図１９）を設ける。
例えば、図１１のように、基板２に設けた場合、滑り止め孔１１の位置で両側から基板２を指先で持てば、指先が滑り止め孔１１内に入り、基板２を安定して持つことができ、滑り落とすことがない。
（ロ）滑り止め孔は１個でも良く、基板２の長さ方向にそって複数個形成しても良い。
（ハ）滑り止め孔に代え、基板２の表面に凹凸面を形成して滑り止めとしても良く、また、滑り難い材料であるゴム、シリコン等を施工するか又は指の当たる所に窪み加工やギザギザを施しても良い。
（ニ）丸状の滑り止め孔に代え、△状、四角状の角形等の形状にとらわれない穴のような多様な形状をも場合に応じて使用できる。
また、この滑り止め技術は、本発明の全てのゲージに応用可能である。
【００８５】
（Ｃ）照明システム
（イ）図１９のゲージでは、ゲージにより釘角度の測定・調整時に、手元を明るく照らす照明システムとして、照明部を支持脚の下方部に付設及び／又は外付けして着脱自在にできる。
スイッチ１８、電池１９等を掲載する磁性ベース板（図示なし）の使用の場合を含めて、この照明システムは全てのゲージに着装可能である。
また、照明システムとして、上記照明部の代わりに発光又は蛍光塗料による塗布面を用いても良い。
照明１６を用いる照明システムにおいて、電池等の電源１９とスイッチ１８を基板に設け、それらと照明１６とを回路１７、１７’によりコネクト（図示なし）を介して接続することにより構成させることができる。
【００８６】
（ロ）図２１に示すように、回路を２回路１７、１７’とすると、電池１９、スイッチ１８を２セット設けることや、切替えスイッチを設けることができて使い勝手が良い。
また、図２１−（ト）に示すように、回路間の接続を配線又はコイル状コード２６に限らず、伸縮可能なカールコードも使用でき、更に回路間の着脱をコネクト（図示なし）を介して行うこともできる。
（ハ）照明部としては、豆電球、ＬＥＤ、蛍光灯、液晶等任意の照明備品や照明用ＩＣや発光又は蛍光塗布面等を含む発光機構を指す。
更に、電池等の電源１９とスイッチ１８を磁性ベース板（図示なし）に載せて、照明１６として豆球を用いることにより、必要の場合に簡単に持ち運べる利点がある。
（ニ）スライド体のようにスライド部分には、電車のパンタグラフのような摺電部の電気供給装置で配線すれば良い。
この照明システムは本発明の全てのゲージに応用可能である。
【００８７】
（ａ）スイッチ１８
スイッチとは、照明を作動・停止するためのオン・オフ又は回路の分岐機能を持つ押しボタンスイッチ、タッチスイッチ等のスイッチを指し、軽量、小粒なものが好ましい。
（ｂ）電池等の電源１９
電源とは、照明部を作動するための電気的エネルギーを貯えた電池等や収納室等又は外部からの供給部等を指す。
（ｃ）回路１７
回路とは、電源部、スイッチ部、照明部等を有効に作動させるためのコード、プリント配線（ＰＣ，ＦＰＣ）、或いはスライド体のように基板に対して上下にスライドする場合
には、スライド体と回路間を伸縮自在なカール（コイル状）コード２６や緩めて配線したコードや電車のパンタグラフのような摺電部の電気供給装置で配線すれば良い。この配線には例えば銅線プリント回路を用いても良い。  更に、照明１６を支持脚下方に、スイッチ部、電源部とをスライド体に設け、照明１６、１６’間を回路構成により連結させている。
更に、支持脚と基板、脚部とが一体化しない場合の回路構成は、支持脚が回転可能、支持脚が基板に解離・結合及び／移動可能、支持脚と基板が嵌合する場合の回路構成は、支持脚と基板との接点が互いに結合時に導通するコネクト機構を採用すれば良い。
【００８８】
（ｄ）磁性ベース板
豆球ランプ等からなる照明１６を設け、スイッチ１８と電池等の電源１９とを磁性ベース板に載せ、これを吸磁性の支持脚の基部に着脱自在としても良く、必要の場合に簡単に持ち運べる利点がある。勿論、ゲージ全体を吸磁性材料で構成させても良い。
この磁性ベース板の活用により照明を簡単に持ち運びでき、また照明の不使用時にはゲージとは別に簡単に保管できる。
この磁性ベース板は、支持脚の基部に載せるのに限らず、基板、スライド体等に載せても良い。
また、これら照明システムにおける部品構成については技術上有効な位置、数量として設けることが可能である。
【００８９】
（Ｄ）角度表示について
（ａ）本発明のゲージには、必要に応じてゲージの釘角度の選択がし易いように、図３−（ハ）、図４−（ハ）に示すように、各ゲージの基板端部の肩部の内外部分に支持脚の角度測定冶具の具体的な角度の度数を記入する。
この場合、例えば９１°なら１°と、８９°なら−１°等と直角（９０°）を基準として表示しても良い。
その表示法としては基板等に印刷、レッテル、塗装、シール、刻印、研磨、レーザー加工、薬品等による角度表示も角度が認識可能であれば、その方法に制限はない。
（ｂ）角度表示は、基板のみならず支持脚、角度測定冶具に設けても良い。
また、この角度表示技術は本発明の全てのゲージに応用可能である。
（ｃ）  １°単位或いは０．１°単位等で角度測定面５、５’や角度測定冶具１０、１０’を異にする支持脚を交換するのみで多様な角度測定が可能である。
【００９０】
（ｄ）このようにすることによって、支持脚の角度測定面の変更及び／又は角度測定冶具と着脱可能とすることで、多様な角度測定に対応することができ、全ての角度測定のためのゲージを多数用意することがなく、取り扱いが容易で、製品管理がし易く、経済的である。
（ｅ）支持脚の脚部に設ける角度測定冶具は、支持脚に一体型でも着脱自在型とすることも可能であり、着脱自在の場合に、角度測定冶具の材質を磁性材料で構成させ、ゲージの材質を鉄材等の磁性材料を吸着可能な鉄、ステンレス鋼等の吸磁性材料で構成させることが必要である。
以上述べた本発明の実施の形態は、あくまでも一例にすぎず、本発明の目的達成のためには、各構成の組合わせ、形状、大きさ等を任意とすることに何ら制限を設けるものではない。
【００９１】
図４１は本発明の他の実施の態様を説明するものであり、即ち、フレームを固定するのにレール４を使用する代わりに、パチンコ台の縦・横枠板を利用して上下・左右にスライド自在に取り付けたコ字状板の使用を説明する模式図である。  図４１−（イ）は摺動軸８１を横置した例を示す模式図である。
（ａ）調整又は計測したいパチンコ台のパチンコ台６８とパチンコ台６８の台間に挿入可
能な長方板、好ましくは薄手の略長方板を設けた摺動板８２、８２ａをパチンコ台間に右側、左側に２部差込み固定する。一般的に台間は狭いのでしっかりと固定可能である。
（ｂ）左右の摺動板８２、８２ａの外側にはそれぞれ縦状の溝２１ｂが例えばｖ字状に彫られてある。
この摺動板上を上下に摺動可能な摺動軸受８３を摺動板８２、８２ａの外側を挟むように２部設ける。
（ｃ）摺動軸受８３には左右の内側に摺動板８２の縦状の溝２１ｂ（ｖ字型）に互いに篏合するように受け手側の摺動軸受８３にｖ字状（凸状）が設けてある。
従って、摺動板８２上を摺動軸受８３がスムースに上下にスライド移動を可能としている。
（ｄ）左右の摺動軸受８３は水平に設けた摺動軸８１、（好ましくは略４角棒状）によって連結され、摺動軸受８３が摺動板８２から外れないようになっている。
（ｅ）摺動軸８１上を移動体８９（好ましくは略コ字状）が左右にスムースに移動可能となっている。
この移動体８９に自在に方向を変え得るアーム８４（好ましくは略丸棒状又は四角柱状）を設け、その先端にはフレーム６を設け、パチンコ盤面１０に配置可能となっている。
（ｆ）これによってフレームは上下、左右自由に移動可能となり、ゲージの釘調整、計測をスムースに行えるものとなっている。
図４１−（ロ）は摺動軸８１を縦置した例を示す模式図である。
即ち、パチンコ台６８の上下に摺動板８２を設けるものとなっている。
自在に方向を変え得るアーム８４とは、例えば蛇腹ホース、フレキシブルホース又は管や、好ましくは可動しても潰れなく自由性のあるコイル状金属管やホース等を指す。
【００９２】
図４２は、移動体の使用を説明する模式図である。
図４２−（イ）は前記図４１−（ロ）の移動体８４の機能等を具体的に説明する模式図である。
自在に回転可能なアーム８４が方向を変える時に、釘９、役物１５に当ってスムースな移動が出来ない場合がある。
この時、移動体側面のヒンジ９０ｄに篏挿しているアーム８９が回転することによって釘９、役物１５等から回避でき、フレーム６の移動を容易にする。
また、アーム８４をフレキシブルとすることで同様に釘９、役物１５等からの回避を容易としている。
図４２−（ロ）は移動体８９の形状を説明するものであって、使用上の便宜さから四角柱状の箱型を示している。勿論、移動体の機能を発揮できれば形状は特定する必要はない。
図４２−（ハ）の移動体は円柱状であって、摺動軸は、図４２−（ロ）の四角柱状の摺動軸の場合と異なり円柱状となる。
これら移動体、摺動軸の形状は一例であって、それと近似の形状も含むものである。
図４２−（ハ）の場合には、円柱状としたのでアーム８４が水平に回動し易くなり、またヒンジ９０ｆによってアーム８４が垂直に回動して、フレームの移動時に釘９、役物１５からの回避を容易としている。
図４２−（ニ）〜（ホ）は、図４２−（ハ）の移動体を摺動軸８１ｂの周りに回転させて、上視した状態図である。
【００９３】
図４３は、図４１の本発明の他の実施態様において、ゲージ使用時の態様を示す模式図である。
図４３−（イ）は本発明のゲージ使用の横方向から見た図である。
図４３−（ロ）は図４３−（イ）を斜め横方向から見た図である。
図４３−（ハ）は図４３−（イ）を上方向から見下ろした図である。
【００９４】
図４４は、摺動軸として伸縮式摺動軸を使用する他の態様を示す模式図である。
図４４−（イ）は図４１の別例を示すものであって、摺動板８２ａと摺動軸受８３ｂが篏合可能とされ（例えば断面をギザギザ状、一般的に言われるカマチ）、図示のようにする事で摺動板８２ａと摺動軸受８３ｂとの離脱を防ぐ役割がある。
即ち、摺動板８２ａを矢印Ｂ方向に進めパチンコ台とパチンコ台の間に差し込み、摺動軸受８３ｂを矢印Ａ方向に進め摺動板８２ａに嵌め込むのである。
ここで言う島とはパチンコ台を並べ納める枠を含めた集合体を示す。
図４４−（ロ）は、図４４−（イ）を上から見た上視図である。
図４４−（ハ）は図４４−（イ）を島８５に並べた台に装着した図である。
【００９５】
図４５は、上記とは別の態様を示すものであって、パチンコ台と台との間の仕切板にベースを設け、該ベースにフレームを取り付けたアームを取り付ける場合を示す模式図であり、フレキシブル体の各種態様をも示すものである。
図４５−（イ）はフレキシブル体９１に設けられた板状バネ５０ｄを矢印Ｂ方向のパチンコ台と台の間に差し込むフレーム６の使用例である。
図４５−（ロ）はベース９２を下記図４５−（ニ）のように島８５の仕切板８８に設ける使用例である。
図４５−（ハ）は島８５の仕切板８８にベース９２’を設け、アーム８４部をフレキシブル９１とした例である。
【００９６】
図４６はアーム８４の種類１を示す模式図である。
図４６−（イ）は図４５（イ）に対応するアームの作動を示し、矢印Ｂ方向に台（上部）に板状バネ５０ｄを差込み、アーム８４に設けた各ヒンジ９０によってフレーム６がパチンコ盤面１０に水平に密着するようになっている。
図４６−（ロ）はアーム８４の上方板状バネ５０ｄへの取付方法を説明するものであり、アーム８４の端部は板状バネ５０ｄに取付けの便のため円柱状の端部とされているため、アーム８４の下方が上下に振子のように回動する構成となっており、アームの使用上好適である。
図４６−（ハ）は図４６−（イ）のフレーム６をパチンコ盤面１０に垂直に設けた場合の例である。
図４６−（ニ）はアーム８４ｃと上部根本部分とが、図４６（イ）、（ロ）の円柱状の場合と異なって、略球形状であるので、３６０度方向に自由に回動可能な形態となっている。
図４６−（ニ’）はアーム８４ｃを板状バネ５０ｄから抜いた状態を示す図である。
図４６−（ニ’’）は図４６−（ニ）のアーム８４ｃ、板状バネ５０ｄを横方向から見た図である。
【００９７】
図４７はアーム８４の種類２である。
図４７−（イ）は、アーム８４ｄの各ヒンジ９０ｂにスプリング２４ａを設け、常にパチンコ盤面１０にフレーム６が圧着し、ゲージ計測の安定性を確保した状態となる状態を示す。
図４７−（ロ）は、図４７−（イ）のようなアーム８４ｅとすることによってアーム８４を伸縮した場合でも常にフレーム６が一定の方向を確保可能な状態となっている。
図４７−（ハ）は、図４７−（ロ）のアームに板状バネ５０ｄを設けた例である。
板状バネ５０ｄを矢印Ｂ方向にパチンコ台（上部）に差込み使用する。
【００９８】
図４８は本発明のパチンコ台６８、島８５へアームを取付けた態様を示す模式図である。
図４８−（イ）は台上部に取付けて、釘の上下方向の計測例を示す。
図４８−（ロ）は（イ）の場合の釘の左右角計測例を示す。
図４８−（ハ）は台の右側つまり台間への取付け例である。
図４８−（ニ）は島８５の下部幕板８７’と台上部との間に取付けた態様を示す。
【００９９】
図４９は島８５へアームを取付けた態様を示す模式図である。
図４９−（イ）は、上部幕板８７に取付けてフレーム６の水平方向の態様を示す。
図４９−（ロ）は、摺動軸８１に吸盤９３を設けて仕切板８８に取付けた態様を示す。
図４９−（ハ）は、アーム８４ｈにベース９２ａを設け、カウンター８６に置いて、アームに取り付けたフレーム６とゲージとを上下逆方向から使用する態様を示す。
【０１００】
本発明に用いた技術用語については、下記をも抱含する。
・アームはフレキシブルは好ましいが、その機能を損なわなければ折り曲げ方式、蛇腹方式、金属製で輪状としても良い。
・本発明の取付け位置については、台、仕切り板、又はこれに類似する物、台間玉貸機（図示しない）島全般又は、島以外に置台、テーブルワゴンのような架台に設置して用いても良い。
・本発明の台、島等への取付けについてはねじ止め、釘止め、隙間への差込、吸盤、両面テープ、接着剤、シリコン、ゲル状粘着剤、磁気化等の使用をも抱含する。
・また本発明の形状、大きさ等は本技術の本質を変えない限り、その制限を設けない。
・また遊技機製作時又はその後に設けても良い。
【産業上の利用可能性】
【０１０１】
本発明に係わる、基本的にフレームとゲージからなる組物ゲージを使用することで熟練を要することなく釘の上下および左右の角度測定および角度調整を行うことができる。
また、このような組物ゲージを用いることによって、パチンコ業界において店の利益向上とともに客の満足感を共に達成することができ、パチンコの遊戯性を高め、パチンコ業界の発展に寄与するものである。
【図面の簡単な説明】
【０１０２】
【図１】パチンコ盤面のレールに懸架したフレーム固定法を示し、本発明のゲージの一端を載せた配置例を示す斜視図である。
【図２】本発明のゲージの使用例を示す模式図である。
【図３】１段フレームの盤面への設置例を説明する模式図である。
【図４】２段フレームの盤面への設置例を説明する模式図である。
【図５】フレームの盤面への設置例を示す模式図である。
【図６】フレームのレール又は役物への設置例１を示す模式図である。
【図７】Ｌ型フレームのレール又は役物への設置例２を示す模式図である。
【図８】レールに設置する磁石具例の模式図である。
【図９】フレームとレール、役物、釘等の固定具例１を示す模式図である。
【図１０】フレームとレール、役物、釘等の固定具例２を示す模式図である。
【０１０３】
【図１１】フレームとレール、役物、釘等の固定具例３を示す模式図である。
【図１２】フレームとレール、役物、釘等の固定具例４を示す模式図である。
【図１３】フレームの役物等への固定具例５を示す模式図である。
【図１４】フレームと役物等との固定具例６を示す模式図である。
【図１５】フレームの形状例１を示す模式図である。
【図１６】コ字型フレームの形状例２を示す模式図である。
【図１７】フレームとゲージの固定具例１を示す模式図である。
【０１０４】
【図１８】フレームとゲージの固定具例２を示す模式図である。
【図１９】ゲージの種類例１を示す模式図である。
【図２０】ゲージの種類例２を示す模式図である。
【図２１】ゲージの種類例３を示す模式図である。
【０１０５】
【図２２】押さえバーによるフレーム固定法の別例を示す模式図である。
【図２３】スライド式ゲージを用いる従来法による計測例を示す模式図である。
【図２４】本発明のフレームとゲージとの組物ゲージによる計測例を示す模式図である。
【図２５】本発明のフレームとゲージとの組物ゲージとスライド式ゲージの従来ゲージとの比較を示す模式図である。
【図２６】フレーム押えバーの種類を示す模式図である。
【図２７】下げ振り、水準器付きゲージとフレームとからなる組物ゲージを説明する模式図である。
【図２８】補助板使用のゲージの種類例を示す模式図である。
【図２９】下げ振り、水準器付きゲージの例を示す模式図である。
【０１０６】
【図３０】角度測定冶具の種類１〜７の（形状）と（使用例）を示す。
【図３１】角度測定冶具の種類１〜７の（形状）と（使用例）を示す。
【図３２】角度測定冶具の種類１〜７の（形状）と（使用例）を示す。
【図３３】角度測定冶具の種類１〜７の（形状）と（使用例）を示す。
【図３４】角度測定冶具の種類１〜７の（形状）と（使用例）を示す。
【図３５】角度測定冶具の種類１〜７の（形状）と（使用例）を示す。
【図３６】角度測定冶具の種類１〜７の（形状）と（使用例）を示す。
【図３７】角度測定冶具の種類１〜７の一部改良であって、その（形状）と（使用例）を示す。
【図３８】角度の呼称例を示し、（イ）釘９をパチンコ盤面８に垂直方向に、（ロ）は釘９を水平方向にセットした場合を示す。
【図３９】パチンコ盤面上にレーザーレベラーによる設置例を示す模式図であり、（イ）はレーザーレベラーによるフレーム押えバー横置の計測例であり、（ロ）はレーザーレベラーによるフレーム押えバー縦置の計測例である。
【図４０】レーザーレベラーの構造及びその設置例を示す模式図であり、（イ）はレーザーレベラーの計測例であり、（ロ）はレーザーレベラーの構造を示し、（ハ）はレーザーレベラーの上視図である。
【０１０７】
【図４１】本発明の他の実施の態様を説明するものであって、フレームを固定するのにレール４を使用する代わりに、パチンコ盤の縦・横枠板を利用して上下・左右にスライド自在に取り付けたコ字状板の使用を説明する模式図である。
【図４２】移動体の使用を説明する模式図である。
【図４３】本発明の他の実施態様において、ゲージ使用時の態様を示す模式図である。
【図４４】摺動軸として伸縮式摺動軸を使用する他の態様を示す模式図である。
【図４５】上記とは別の態様を示すものであって、パチンコ台と台との間の仕切板にベースを設け、該ベースにフレームを取り付けたアームを取り付ける場合を示す模式図であり、フレキシブル体の各種態様をも示すものである。
【図４６】アーム８４の種類１を示す模式図である。
【図４７】アーム８４の種類２を示す模式図である。
【図４８】本発明のパチンコ台、島へアームを取付けた態様を示す模式図である。
【図４９】島へアームを取付けた態様を示す模式図である。
【符号の説明】
【０１０８】
１  ゲージ
２  基板
３、３’  支持脚
３ａ、３ａ’：３ｂ、３ｂ’短支持脚：長支持脚
４、４’、４ａ、４ｂ  レール、ガラス嵌込み用レール、両溝付きレール
５  磁石具
６、６’フレーム、Ｌ型フレーム
６ａ  カーブ型フレーム
６ｂ、６ｂ’、６ｂ”  スライド式フレーム
６ｃ、６ｃ’  一体型フレーム
６ｄ、６ｄ’  組立型フレーム
６ｅ、６ｅ’  変形型フレーム
６ｆ  Ｌ型フレーム
７、７’  ゲージ当接面、盤面当接面
７ａ、７ａ’レール当接面、フレーム当接面、フレーム押えバー当接面
７ｂ  釘軸当接面
８、８’  角度測定冶具
９、９’  釘、釘軸
１０  パチンコ盤面
１１  滑り止め孔
１２  両面テープ
１３、１３’  Ｌ型磁石具、Ｌ型具
１３ａ  厚Ｌ型磁石具
１３ｂ、１３ｃ  サイコロ型磁石具、薄Ｌ型磁石具
１３ｄ、１３ｅ  厚板型磁石具、薄板型磁石具
１３ｆ  カーブ型磁石具
１４  蝶番
【０１０９】
１５、１５’  役物、丸形役物
１６  照明
１７、１７’  回路
１８、１８’  スイッチ、ボタンスイッチ
１９  電池
２０  分度盤
２１、２１’  逃げ溝
２１ａ、２１ｂ  横溝、溝
２２  補助フレーム
２３  度数目盛
２４、２４’  ２４ａ  スプリング
２５、２５’スリット
２６  コイル状コード
２７、２７ａ、２７ｂ、２７’  フレーム押えバー、外押えバー、内押えバー
２８、２８’  へこみ
２９、２９’把手
３０  指針
【０１１０】
３１  下げ振り
３２  水準器
３３、３３’  段差
３４  釘軸合線
３５  角度測定面
３６  板
３７、３７’  板
３８  基点
３８’基線
３９、３９’  丸み
４０、４０’４０ａ  補助板
４１  へこみ
４２、４２’  低壁部、高壁部
４３  ベース板
４４  嵌挿部、釘軸収納部
４５、４５’、４５ａ、４５ａ’  突起、柱状突起
４６  角取り
４７  レバー
４８、４８’、４８ａ、４８ｂ、４８ｃ  縦スライダ、横スライダ、スライダ、一体式横スライダ、円４９ａ、４９ｂ  板型具、Ｌ型具
【０１１１】
５０、５０’、５０ａ、５０ｂ  リング状バネ、板バネ、コイルバネ
５０ｃ、５０ｄ  片バネ、板状バネ
５１  抑え
５２、５２’、５２ａ  ネジ、ネジ孔、孔
５３  当板
５４、５４’  細クリップ、厚クリップ
５４ａ  ホルダ
５４ｂ  ホルダ大
５４ｃ  ホルダ小
５５、５５’保持杆
５６、５６’、５６ａ  ピン
５７  ネジ切
５８、５８’  押え板
５９、５９’  半円型ホルダ、横半円型ホルダ
５９ａ、５９ａ’  挟み型ホルダ、横挟み型ホルダ
５９ｂ、５９ｂ’  逆横挟み型ホルダ
５９ｃ、５９ｃ’、５９ｃ”  Ｌ型ホルダ、逆Ｌ型ホルダ、変形Ｌ型ホルダ
５９ｄ、５９ｄ’、５９ｄ”  カーブ型ホルダ、逆カーブ型ホルダ、変形カーブ        
型ホルダ
５９ｅ、５９ｅ’  筒型ホルダ、板挟み型ホルダ
５９ｆ、５９ｆ’、５９ｆ”  三日月筒型ホルダ
【０１１２】
６０、６０’  板状挟み
６０ａ  Ｌ型バー
６１  くぼみ
６２、６２’  長板
６３、６３’  役物固定面、レール固定面
６４、６４’  側板、逆側板
６５、６５’  脚部
６５ａ，６５ａ’板状脚部
６６、６６’  蝶ネジ
６７、６７ａ、６７ｂ、６７’  スライド体
６８  パチンコ台
６９、６９’  スライド溝、嵌合溝
７０  スリット
【０１１３】
７１、７１’、７１ａ  ３６０°方向の計測面、左右方向の計測面、上下方向
計測面
７２  糸
７３  捩れ止め
７４  糸止めフック
７５  気泡
７６、７６’  ネジ孔
７７  レーザーレベラー（水準器）
７８  レーザー発生装置
７９  レーザー光線
８０  レーザー光線の発射口（垂直線）
８０’レーザー光線の発射口（水平線）
【０１１４】
８１、８１ａ、８１ｂ  摺動軸、伸縮式摺動軸、円柱形摺動軸
８２、８２ａ  摺動板
８３、８３ａ、８３ｂ  摺動軸受
８４、８４ａ、８４ｂ、８４ｃ、８４ｄ、８４ｅ  アーム
８４ｆ、８４ｇ、８４ｈ
８５  島
８６  カウンター
８７、８７’  上部幕板、下部幕板
８８  仕切板
８９、８９’、８９ａ  移動体、箱形移動体、円柱形移動体
９０、９０’、９０’’９０ａ、  ヒンジ
９０ｂ、９０ｃ、９０ｄ、９０ｅ、９０ｆ、
９０ａ’、９０ｂ’、９０ｂ’’、９０ｃ’、９０ｃ’’
９１  フレキシブル
９２、９２’９２ａ  ベース
９３  吸盤
【図１】
2008221012.tif 000003
【図２】
2008221012.tif 000004
【図３】
2008221012.tif 000005
【図４】
2008221012.tif 000006
【図５】
2008221012.tif 000007
【図６】
2008221012.tif 000008
【図７】
2008221012.tif 000009
【図８】
2008221012.tif 000010
【図９】
2008221012.tif 000011
【図１０】
2008221012.tif 000012
【図１１】
2008221012.tif 000013
【図１２】
2008221012.tif 000014
【図１３】
2008221012.tif 000015
【図１４】
2008221012.tif 000016
【図１５】
2008221012.tif 000017
【図１６】
2008221012.tif 000018
【図１７】
2008221012.tif 000019
【図１８】
2008221012.tif 000020
【図１９】
2008221012.tif 000021
【図２０】
2008221012.tif 000022
【図２１】
2008221012.tif 000023
【図２２】
2008221012.tif 000024
【図２３】
2008221012.tif 000025
【図２４】
2008221012.tif 000026
【図２５】
2008221012.tif 000027
【図２６】
2008221012.tif 000028
【図２７】
2008221012.tif 000029
【図２８】
2008221012.tif 000030
【図２９】
2008221012.tif 000031
【図３０】
2008221012.tif 000032
【図３１】
2008221012.tif 000033
【図３２】
2008221012.tif 000034
【図３３】
2008221012.tif 000035
【図３４】
2008221012.tif 000036
【図３５】
2008221012.tif 000037
【図３６】
2008221012.tif 000038
【図３７】
2008221012.tif 000039
【図３８】
2008221012.tif 000040
【図３９】
2008221012.tif 000041
【図４０】
2008221012.tif 000042
【図４１】
2008221012.tif 000043
【図４２】
2008221012.tif 000044
【図４３】
2008221012.tif 000045
【図４４】
2008221012.tif 000046
【図４５】
2008221012.tif 000047
【図４６】
2008221012.tif 000048
【図４７】
2008221012.tif 000049
【図４８】
2008221012.tif 000050
【図４９】
2008221012.tif 000051